(57)【特許請求の範囲】
【請求項１】
自装置および１以上の他装置のいずれかにより生成された参照情報を取得する参照情報取得手段と、
前記参照情報は、前記参照情報を生成した装置を操作するユーザーにより入力された追加情報と、前記ユーザーを識別するためのユーザー識別情報と、前記追加情報の入力の開始時刻と終了時刻とを定める入力期間と、を含み、
時間の経過に伴って変化する会議の状態に関する情報を会議情報として取得する会議情報取得手段と、
前記参照情報取得手段により取得された複数の参照情報それぞれを１以上のグループのいずれかに分類するグループ化手段と、
前記１以上のグループそれぞれに対して、当該グループに属する１以上の参照情報それぞれの入力期間に基づいてグループ期間を決定するグループ期間決定手段と、
前記１以上のグループのいずれか１つが選択されることに応じて、前記選択されたグループに対して決定されたグループ期間を再生期間に決定する再生期間決定手段と、
前記会議情報のうち前記決定された再生期間に対応する部分を出力する会議情報出力手段とを備える、会議再現装置。
【請求項２】
前記グループ化手段は、前記参照情報取得手段により取得された複数の参照情報のうち、開始時刻が所定期間以内の複数の参照情報を同じグループに分類する、請求項１に記載の会議再現装置。
【請求項３】
前記参照情報は、前記自装置および１以上の他装置それぞれがアクセス可能な発表データ中で前記追加情報が入力された位置を示す位置情報をさらに含み、
前記グループ化手段は、前記参照情報取得手段により取得された複数の参照情報のうち、前記発表データ中における位置が所定範囲内の複数の参照情報であって開始時刻が所定期間以内の複数の参照情報を同じグループに分類する、請求項１に記載の会議再現装置。
【請求項４】
前記再生期間決定手段により決定された再生期間を変更する再生期間変更手段をさらに含み、
前記会議情報出力手段は、前記会議情報のうち前記再生期間変更手段により変更された再生期間に対応する部分を出力する、請求項１〜３のいずれかに記載の会議再現装置。
【請求項５】
前記１以上のグループを選択可能に表示するグループリスト表示手段と、
前記グループリスト表示手段により表示された１以上のグループのいずれか１つを選択するグループ選択手段と、をさらに備える、請求項１〜４のいずれかに記載の会議再現装置。
【請求項６】
前記再生期間決定手段は、前記グループ選択手段により第１のグループが選択された後に第２のグループが選択される場合であって、前記第１のグループに対応する第１のグループ期間と前記第２のグループに対応する第２のグループ期間とが重なる場合に、前記第１のグループ期間を再生期間に決定した後、前記第２のグループ期間のうち前記第１のグループ期間と重ならない部分を再生期間に決定する、請求項５に記載の会議再現装置。
【請求項７】
前記グループリスト表示手段は、前記１以上のグループごとに、当該グループに属する１以上の参照情報のいずれかの追加情報、および当該グループのグループ期間のうち少なくとも１つを表示する、請求項５または６記載の会議再現装置。
【請求項８】
前記選択されたグループに属する１以上の参照情報のいずれか１つを選択する参照情報選択手段をさらに備え、
前記再生期間決定手段は、前記参照情報選択手段により前記１以上の参照情報のいずれか１つが選択されることに応じて、前記選択された参照情報の入力期間を再生期間に決定する、請求項１〜７のいずれかに記載の会議再現装置。
【請求項９】
前記再生期間決定手段は、前記参照情報選択手段により第１の参照情報が選択された後に第２の参照情報が選択される場合であって、前記第１の参照情報に対応する第１の入力期間と前記第２の参照情報に対応する第２の入力期間とが重なる場合に、前記第１の入力期間を再生期間に決定した後、前記第２の入力期間のうち前記第１の入力期間と重ならない部分を再生期間に決定する、請求項８に記載の会議再現装置。
【請求項１０】
前記選択されたグループに属する１以上の参照情報を表示する参照情報リスト表示手段をさらに備え、
前記参照情報リスト表示手段は、前記参照情報選択手段により選択された参照情報を他の参照情報の表示態様とは異なる表示態様で表示する、請求項８または９に記載の会議再現装置。
【請求項１１】
前記参照情報リスト表示手段は、前記１以上の参照情報ごとに、当該参照情報の追加情報、ユーザー識別情報および入力期間のうち少なくとも１つを表示する、請求項１０に記載の会議再現装置。
【請求項１２】
前記自装置および１以上の他装置それぞれは、
前記自装置および１以上の他装置それぞれがアクセス可能な発表データのうち前記自装置および１以上の他装置に表示すべき発表部分を設定可能な発表モードと発表部分を設定不可能な参加モードのいずれかに装置モードを切り換える装置モード切換手段を、備え、
前記選択されたグループに対応する前記発表データ中の対応部分は、前記選択されたグループのグループ期間中に前記自装置および１以上の他装置のうち前記発表モードに切り換えられた装置により設定された発表部分を含み、
前記会議情報取得手段は、前記発表モードに切り換えられた装置により設定された発表部分を前記会議情報として生成する、請求項１または２に記載の会議再現装置。
【請求項１３】
前記会議情報出力手段は、前記１以上のグループのいずれか１つが選択されることに応じて、前記選択されたグループに対応する前記発表データ中の発表部分を表示する発表データ部分表示手段をさらに備える、請求項１２に記載の会議再現装置。
【請求項１４】
前記発表データ部分表示手段により表示された発表部分に、前記選択されたグループに属する１以上の参照情報にそれぞれ含まれる１以上の追加情報を重畳して表示する追加情報表示手段をさらに備える、請求項１３に記載の会議再現装置。
【請求項１５】
前記会議情報取得手段は、前記発表部分中で発表者によりポインタを用いて指示された位置と当該位置が指示された時刻とを示すポインタ関連情報を前記会議情報として生成する、請求項１２〜１４のいずれかに記載の会議再現装置。
【請求項１６】
前記会議情報出力手段は、前記発表部分に前記再生期間中の前記ポインタの軌跡を示す軌跡画像を重畳表示する、請求項１５に記載の会議再現装置。
【請求項１７】
前記会議情報出力手段は、前記ポインタにより前記再生期間中に指示された複数の位置の表示態様がそれぞれの位置が指示された時間の経過とともに変化する前記軌跡画像を表示する、請求項１６に記載の会議再現装置。
【請求項１８】
前記会議情報出力手段は、前記発表部分に前記再生期間中の前記ポインタの動きを示す動画を重畳再生する、請求項１５に記載の会議再現装置。
【請求項１９】
音声を取得する音声取得手段をさらに備え、
前記会議情報取得手段は、前記音声取得手段により取得される音声を前記会議情報として生成する、請求項１〜１８のいずれかに記載の会議再現装置。
【請求項２０】
前記会議情報出力手段は、前記音声取得手段により取得される音声をテキストデータに変換する文字変換手段を含み、
前記文字変換手段は、前記変換されたテキストデータを表示する、請求項１９に記載の会議再現装置。
【請求項２１】
自装置および１以上の他装置のいずれかにより生成された参照情報を取得する参照情報取得ステップと、
前記参照情報は、前記参照情報を生成した装置を操作するユーザーにより入力された追加情報と、前記ユーザーを識別するためのユーザー識別情報と、前記追加情報の入力の開始時刻と終了時刻とを定める入力期間と、を含み、
時間の経過に伴って変化する会議の状態に関する情報を会議情報として取得する会議情報取得ステップと、
前記参照情報取得ステップにより取得された複数の参照情報それぞれを１以上のグループのいずれかに分類するグループ化ステップと、
前記１以上のグループそれぞれに対して、当該グループに属する１以上の参照情報それぞれの入力期間に基づいてグループ期間を決定するグループ期間決定ステップと、
前記１以上のグループのいずれか１つが選択されることに応じて、前記選択されたグループに対して決定されたグループ期間を再生期間に決定する再生期間決定ステップと、
前記会議情報のうち前記決定された再生期間に対応する部分を出力する会議情報出力ステップとを、前記自装置および１以上の他装置に実行させる、会議再現方法。
【請求項２２】
自装置および１以上の他装置のいずれかにより生成された参照情報を取得する参照情報取得ステップと、
前記参照情報は、前記参照情報を生成した装置を操作するユーザーにより入力された追加情報と、前記ユーザーを識別するためのユーザー識別情報と、前記追加情報の入力の開始時刻と終了時刻とを定める入力期間と、を含み、
時間の経過に伴って変化する会議の状態に関する情報を会議情報として生成する会議情報取得ステップと、
前記参照情報取得ステップにより取得された複数の参照情報それぞれを１以上のグループのいずれかに分類するグループ化ステップと、
前記１以上のグループそれぞれに対して、当該グループに属する１以上の参照情報それぞれの入力期間に基づいてグループ期間を決定するグループ期間決定ステップと、
前記１以上のグループのいずれか１つが選択されることに応じて、前記選択されたグループに対して決定されたグループ期間を再生期間に決定する再生期間決定ステップと、
前記会議情報のうち前記決定された再生期間に対応する部分を出力する会議情報出力ステップとを、前記自装置および１以上の他装置を制御するコンピューターに実行させる、会議再現プログラム。
【発明の詳細な説明】
【技術分野】
【０００１】
この発明は、会議再現装置、会議再現方法および会議再現プログラムに関し、特に、複数のユーザーが参加した会議を再現する会議再現装置、会議再現方法および会議再現プログラムに関する。
【背景技術】
【０００２】
会議等において、発表用の資料として準備されたデータを参加者全員がそれぞれ携帯する携帯情報装置等の電子端末に表示する会議システムが知られている。例えば、特開２０１４−０９８９７２号公報には、画像表示装置と、１以上の電子端末とを有する電子会議システムであって、前記電子端末は、前記画像表示装置で表示された複数の画像を、当該複数の画像に対するユーザーの操作を示す操作情報と関連付けて記録媒体に記録する画像・操作記録手段を備え、前記画像表示装置は、前記電子端末と通信して、前記画像・操作記録手段により前記記録媒体に記録された複数の画像と、当該複数の画像に関連付けられた操作情報とに基づいて表示画像を生成する画像生成手段を備えることを特徴とする電子会議システムが記載されている。
【０００３】
上記の電子会議システムによれば、会議の参加者は、表示画像により会議に関連するユーザーの操作を再現して会議の内容を再確認することができる。
【０００４】
一方、会議においては、画像に対するユーザーの操作の他に、時間の経過に伴って変化する情報、例えば、参加者が発生する音声等の情報がある。時間の経過に伴って変化する情報を再現する場合には、会議の最初から順に再生しなければならない。再生時間を短縮するために早送りで再生することもできるが、所望の部分を特定することができないといった問題がある。
【特許文献１】特開２０１４−０９８９７２号公報
【発明の概要】
【発明が解決しようとする課題】
【０００５】
この発明は上述した問題点を解決するためになされたもので、この発明の目的の一つは、時間の経過に伴って変化する会議の状態をランダムに再現することが可能な会議再現装置を提供することである。
【０００６】
この発明の他の目的は、時間の経過に伴って変化する会議の状態をランダムに再現することが可能な会議再現方法を提供することである。
【０００７】
この発明のさらに他の目的は、時間の経過に伴って変化する会議の状態をランダムに再現することが可能な会議再現プログラムを提供することである。
【課題を解決するための手段】
【０００８】
上述した目的を達成するためにこの発明のある局面によれば、会議再現装置は、自装置および１以上の他装置のいずれかにより生成された参照情報を取得する参照情報取得手段と、参照情報は、参照情報を生成した装置を操作するユーザーにより入力された追加情報と、ユーザーを識別するためのユーザー識別情報と、追加情報の入力の開始時刻と終了時刻とを定める入力期間と、を含み、時間の経過に伴って変化する会議の状態に関する情報を会議情報として取得する会議情報取得手段と、参照情報取得手段により取得された複数の参照情報それぞれを１以上のグループのいずれかに分類するグループ化手段と、１以上のグループそれぞれに対して、当該グループに属する１以上の参照情報それぞれの入力期間に基づいてグループ期間を決定するグループ期間決定手段と、１以上のグループのいずれか１つが選択されることに応じて、選択されたグループに対して決定されたグループ期間を再生期間に決定する再生期間決定手段と、会議情報のうち決定された再生期間に対応する部分を出力する会議情報出力手段とを備える。
【０００９】
この局面に従えば、自装置および１以上の他装置のいずれかにより生成された参照情報と、時間の経過に伴って変化する会議の状態に関する会議情報と、が取得される。取得された複数の参照情報それぞれが入力期間に基づいて１以上のグループに分類される。１以上のグループそれぞれに対して、グループに属する１以上の参照情報それぞれの入力期間に基づいてグループ期間が決定される。１以上のグループのいずれか１つが選択されることに応じて、選択されたグループに対して決定されたグループ期間が再生期間に決定され、会議情報のうち決定された再生期間に対応する部分が出力される。このため、会議情報のうち１以上のグループにそれぞれ対応する部分を出力するので、会議情報を部分的に出力することができる。複数の参照情報それぞれが参照情報に含まれる追加情報が入力された入力期間に基づいて複数の参照情報が１以上のグループのいずれかに分類されるので、会議情報のうち１以上のグループにそれぞれ対応する部分を、そのグループに分類された１以上の参照情報と関連付けることができる。このため、時間の経過に伴って変化する会議の状態を、自装置および１以上の他装置のいずれかを操作するユーザーにより追加情報が入力された入力期間に基づいて決定されるグループ期間に対応する部分に限定して再現することができる。その結果、時間の経過に伴って変化する会議の状態をランダムに再現することが可能な会議再現装置を提供することができる。
【００１０】
好ましくは、グループ化手段は、参照情報取得手段により取得された複数の参照情報のうち、開始時刻が所定期間以内の複数の参照情報を同じグループに分類する。
【００１１】
この局面に従えば、追加情報の入力の開始時刻に基づいて複数の参照情報を適切にグループ化することができる。また、ユーザーは、追加情報の入力があったときの会議の状態を容易に再現することができる。
【００１２】
好ましくは、参照情報は、自装置および１以上の他装置それぞれがアクセス可能な発表データ中で追加情報が入力された位置を示す位置情報をさらに含み、グループ化手段は、参照情報取得手段により取得された複数の参照情報のうち、発表データ中における位置が所定範囲内の複数の参照情報であって開始時刻が所定期間以内の複数の参照情報を同じグループに分類する。
【００１３】
この局面に従えば、追加情報が入力された位置および追加情報の入力の位置に基づいて、複数の参照情報を適切にグループ化することができる。また、ユーザーは、追加情報の入力があったときの会議の状態を追加情報が入力された位置ごとに容易に再現することができる。
【００１４】
好ましくは、会議再現装置は、再生期間決定手段により決定された再生期間を変更する再生期間変更手段をさらに含み、会議情報出力手段は、会議情報のうち再生期間変更手段により変更された再生期間に対応する部分を出力する。
【００１５】
この局面に従えば、会議情報の再生期間を変更されるので、利便性を向上することができる。
【００１６】
好ましくは、会議再現装置は、１以上のグループを選択可能に表示するグループリスト表示手段と、グループリスト表示手段により表示された１以上のグループのいずれか１つを選択するグループ選択手段とをさらに備える。
【００１７】
この局面に従えば、１以上のグループを容易に識別することができるとともに、１以上のグループのいずれか１つを容易に選択することができる。
【００１８】
好ましくは、再生期間決定手段は、グループ選択手段により第１のグループが選択された後に第２のグループが選択される場合であって、第１のグループに対応する第１のグループ期間と第２のグループに対応する第２のグループ期間とが重なる場合に、第１のグループ期間を再生期間に決定した後、第２のグループ期間のうち第１のグループ期間と重ならない部分を再生期間に決定する。
【００１９】
この局面に従えば、第１のグループの期間と第２のグループの期間とが重なる期間に対応する会議情報が繰り返し出力されない。したがって、会議情報の出力が冗長にならない。
【００２０】
好ましくは、グループリスト表示手段は、１以上のグループごとに、当該グループに属する１以上の参照情報のいずれかの追加情報、および当該グループのグループ期間のうち少なくとも１つを表示する。
【００２１】
この局面に従えば、１以上のグループを追加情報またはグループ期間で識別することが可能になる。
【００２２】
好ましくは、会議再現情報は、選択されたグループに属する１以上の参照情報のいずれか１つを選択する参照情報選択手段をさらに備え、再生期間決定手段は、参照情報選択手段により１以上の参照情報のいずれか１つが選択されることに応じて、選択された参照情報の入力期間を再生期間に決定する。
【００２３】
この局面に従えば、選択されたグループに属する１以上の参照情報のいずれか１つを選択することにより、その参照情報に含まれる入力期間中の時間の経過に伴って変化する会議の状態を再現させることができる。
【００２４】
好ましくは、再生期間決定手段は、参照情報選択手段により第１の参照情報が選択された後に第２の参照情報が選択される場合であって、第１の参照情報に対応する第１の入力期間と第２の参照情報に対応する第２の入力期間とが重なる場合に、第１の入力期間を再生期間に決定した後、第２の入力期間のうち第１の入力期間と重ならない部分を再生期間に決定する。
【００２５】
この局面に従えば、第１の入力期間と第２の入力期間とが重なる期間に対応する会議情報が繰り返し出力されない。したがって、会議情報の出力が冗長にならない。
【００２６】
好ましくは、会議再現装置は、選択されたグループに属する１以上の参照情報を表示する参照情報リスト表示手段をさらに備え、参照情報リスト表示手段は、参照情報選択手段により選択された参照情報を他の参照情報の表示態様とは異なる表示態様で表示する。
【００２７】
この局面に従えば、選択された参照情報が他の参照情報の表示態様とは異なる表示態様で表示されるので、選択された参照情報を容易に識別することができる。
【００２８】
好ましくは、参照情報リスト表示手段は、１以上の参照情報ごとに、当該参照情報の追加情報、ユーザー識別情報および入力期間のうち少なくとも１つを表示する。
【００２９】
この局面に従えば、１以上の参照情報を追加情報、ユーザー識別情報および入力期間のいずれかで識別することが可能になる。
【００３０】
好ましくは、自装置および１以上の他装置それぞれは、自装置および１以上の他装置それぞれがアクセス可能な発表データのうち自装置および１以上の他装置に表示すべき発表部分を設定可能な発表モードと発表部分を設定不可能な参加モードのいずれかに装置モードを切り換える装置モード切換手段を、備え、選択されたグループに対応する発表データ中の対応部分は、選択されたグループのグループ期間中に自装置および１以上の他装置のうち発表モードに切り換えられた装置により設定された発表部分を含み、会議情報取得手段は、発表モードに切り換えられた装置により設定された発表部分を会議情報として生成する。
【００３１】
この局面に従えば、発表モードに切り換えられた装置により設定された発表部分が会議情報として生成されるので、再生期間中の発表部分が出力される。したがって、会議の状態をより正確に把握することが可能になる。
【００３２】
好ましくは、会議情報出力手段は、１以上のグループのいずれか１つが選択されることに応じて、選択されたグループに対応する発表データ中の対応部分を表示する発表データ部分表示手段をさらに備える。
【００３３】
この局面に従えば、１以上のグループのうち選択されたグループのグループ期間に対応する発表部分が表示される。このように、グループに含まれる１以上の参照情報にそれぞれ含まれる１以上の追加情報が入力された発表部分を表示することができる。
【００３４】
好ましくは、会議再現装置は、発表データ部分表示手段により表示された発表部分に、選択されたグループに属する１以上の参照情報にそれぞれ含まれる１以上の追加情報を重畳して表示する追加情報表示手段をさらに備える。
【００３５】
この局面に従えば、選択されたグループに属する１以上の参照情報にそれぞれ含まれる１以上の追加情報を、選択されたグループに属するグループ期間中の会議の状態とともに表示することができる。
【００３６】
好ましくは、会議情報取得手段は、発表部分中で発表者によりポインタを用いて指示された位置と当該位置が指示された時刻とを示すポインタ情報を会議情報として生成する。
【００３７】
この局面に従えば、会議中の時間の経過とともに変化する発表者により指示された位置を会議情報として出力することが可能になる。
【００３８】
好ましくは、会議情報出力手段は、発表部分に再生期間中のポインタの軌跡を示す軌跡画像を重畳表示する。
【００３９】
この局面に従えば、会議中の時間の経過とともに変化する発表者のポインタの位置の変化を発表部分とともに容易に把握することができる。
【００４０】
好ましくは、会議情報出力手段は、ポインタにより再生期間中に指示された複数の位置の表示態様がそれぞれの位置が指示された時間の経過とともに変化する軌跡画像を表示する。
【００４１】
この局面に従えば、再生期間における発表者のポインタの移動方向、移動速度等の操作状態をユーザーに通知することができる。
【００４２】
好ましくは、会議情報出力手段は、発表部分に再生期間中のポインタの動きを示す動画を重畳再生する。
【００４３】
この局面に従えば、会議中の時間の経過とともに変化する発表者のポインタの位置の変化をユーザーに通知することができる。
【００４４】
好ましくは、会議再現装置は、音声を取得する音声取得手段をさらに備え、会議情報取得手段は、音声取得手段により取得される音声を会議情報として生成する。
【００４５】
この局面に従えば、会議中の時間の経過とともに変化する発表者の音声を会議情報として出力することが可能になる。それにより、会議における発表内容をより詳細に把握することができる。
【００４６】
好ましくは、会議情報出力手段は、音声取得手段により取得される音声をテキストデータに変換する文字変換手段を含み、文字変換手段は、変換されたテキストデータを表示する。
【００４７】
この局面に従えば、会議中の発表者の音声がテキストデータに変換され、変換されたテキストデータに基づく文字列が表示される。それにより、会議中の発表者の音声をユーザーに視覚で認識させることができる。
【００４８】
この発明の他の局面に従えば、会議再現方法は、自装置および１以上の他装置のいずれかにより生成された参照情報を取得する参照情報取得ステップと、参照情報は、参照情報を生成した装置を操作するユーザーにより入力された追加情報と、ユーザーを識別するためのユーザー識別情報と、追加情報の入力の開始時刻と終了時刻とを定める入力期間と、を含み、時間の経過に伴って変化する会議の状態に関する情報を会議情報として取得する会議情報取得ステップと、参照情報取得ステップにより取得された複数の参照情報それぞれを１以上のグループのいずれかに分類するグループ化ステップと、１以上のグループそれぞれに対して、当該グループに属する１以上の参照情報それぞれの入力期間に基づいてグループ期間を決定するグループ期間決定ステップと、１以上のグループのいずれか１つが選択されることに応じて、選択されたグループに対して決定されたグループ期間を再生期間に決定する再生期間決定ステップと、会議情報のうち決定された再生期間に対応する部分を出力する会議情報出力ステップとを、自装置および１以上の他装置に実行させる。
【００４９】
この局面に従えば、時間の経過に伴って変化する会議の状態をランダムに再現することが可能な会議再現方法を提供することができる。
【００５０】
この発明の他の局面に従えば、会議再現プログラムは、自装置および１以上の他装置のいずれかにより生成された参照情報を取得する参照情報取得ステップと、参照情報は、参照情報を生成した装置を操作するユーザーにより入力された追加情報と、ユーザーを識別するためのユーザー識別情報と、追加情報の入力の開始時刻と終了時刻とを定める入力期間と、を含み、時間の経過に伴って変化する会議の状態に関する情報を会議情報として生成する会議情報取得ステップと、参照情報取得ステップにより取得された複数の参照情報それぞれを１以上のグループのいずれかに分類するグループ化ステップと、１以上のグループそれぞれに対して、当該グループに属する１以上の参照情報それぞれの入力期間に基づいてグループ期間を決定するグループ期間決定ステップと、１以上のグループのいずれか１つが選択されることに応じて、選択されたグループに対して決定されたグループ期間を再生期間に決定する再生期間決定ステップと、会議情報のうち決定された再生期間に対応する部分を出力する会議情報出力ステップとを、自装置および１以上の他装置を制御するコンピューターに実行させる。
【００５１】
この局面に従えば、時間の経過に伴って変化する会議の状態をランダムに再現することが可能な会議再現プログラムを提供することができる。
【図面の簡単な説明】
【００５２】
【図１】本発明の実施の形態に係る携帯情報装置を含む会議システムの全体概要の一例を示す図である。
【図２】本実施の形態における携帯情報装置のハードウェア構成の概要を示すブロック図である。
【図３】携帯情報装置が備えるＣＰＵが有する機能の一例を示すブロック図である。
【図４】音声関連情報のフォーマットの一例を示す図である。
【図５】発表画像関連情報のフォーマットの一例を示す図である。
【図６】ポインタ関連情報のフォーマットの一例を示す図である。
【図７】参照情報のフォーマットの一例を示す図である。
【図８】ユーザーＡが携帯情報装置を操作して会議に参加するときの表示部の表示状態の一例を示す図である。
【図９】ユーザーＡの携帯情報装置において生成される参照情報の一例を示す図である。
【図１０】ユーザーＢの携帯情報装置において生成される参照情報の一例を示す図である。
【図１１】ユーザーＣの携帯情報装置において生成される参照情報の一例を示す図である。
【図１２】ユーザーＤの携帯情報装置において生成される参照情報の一例を示す図である。
【図１３】ユーザーＥの携帯情報装置において生成される参照情報の一例を示す図である。
【図１４】図１０〜図１４の追加情報を含む参照情報のグループ化の例を示す模式図である。
【図１５】１以上のグループ識別情報の表示例を示す図である。
【図１６】グループリストから１つのグループ識別情報が選択された場合の表示例を示す図である。
【図１７】ユーザーＡの参照画像が選択された場合の表示例である。
【図１８】ユーザーＢの参照画像が選択された場合の表示例である。
【図１９】ユーザーＡが１つの参照情報を選択した後で他の参照情報を選択した場合の再生期間の決定例を説明するための図である。
【図２０】図１９の例に従って再生期間が決定された場合の表示例である。
【図２１】マウスポインタの軌跡画像の位置表示例を示す図である。
【図２２】会議情報取得処理の流れの一例を示すフローチャートである。
【図２３】発表画像関連処理の流れの一例を示すフローチャートである。
【図２４】ポインタ関連処理の流れの一例を示すフローチャートである。
【図２５】音声関連処理の流れの一例を示すフローチャートである。
【図２６】参照情報取得処理の流れの一例を示すフローチャートである。
【図２７】グループ化処理の流れの一例を示すフローチャートである。
【図２８】再現処理の流れの一例を示すフローチャートである。
【図２９】静的出力制御処理の流れの一例を示すフローチャートである。
【図３０】動的出力制御処理の流れの一例を示すフローチャートである。
【発明を実施するための形態】
【００５３】
以下、本発明の実施の形態に係る会議再現装置について図面を参照して説明する。以下の説明では同一の部品には同一の符号を付してある。それらの名称および機能も同じである。したがってそれらについての詳細な説明は繰返さない。以下では、会議再現装置の一例として携帯情報装置を説明する。
【００５４】
図１は、本発明の実施の形態に係る携帯情報装置を含む会議システムの全体概要の一例を示す図である。図１を参照して、会議システム１は、サーバー３００と、複数（本例では５つ）の携帯情報装置２００Ａ，２００Ｂ，２００Ｃ，２００Ｄ，２００Ｅと、を含む。サーバー３００および携帯情報装置２００Ａ〜２００Ｅは、同じ拠点に配置されてもよいし、互いに異なる拠点に配置されてもよい。サーバー３００および携帯情報装置２００Ａ〜２００Ｅが複数の拠点に配置される場合、それらの複数の拠点の間の距離は特に限定されない。
【００５５】
ネットワーク２Ａに、サーバー３００および無線局３Ａが接続されている。携帯情報装置２００Ａ，２００Ｂは、無線局３Ａと通信することにより、ネットワーク２Ａに接続可能である。ネットワーク２Ｂに、無線局３Ｂが接続されている。携帯情報装置２００Ｃ，２００Ｄ，２００Ｅは、無線局３Ｂと通信することにより、ネットワーク２Ｂに接続可能である。ネットワーク２Ａ，２Ｂそれぞれは、インターネット５に接続される。このため、サーバー３００，携帯情報装置２００Ａ〜２００Ｅは、互いに通信可能である。
【００５６】
ネットワーク２Ａ，２Ｂは、ＬＡＮ（ローカルエリアネットワーク）であり、接続形態は有線または無線を問わない。また、ネットワーク２Ａ，２Ｂは、ＬＡＮに限らず、ＷＡＮ（ワイドエリアネットワーク）、ＰＳＴＮ（公衆交換電話網）、インターネット等であってもよい。
【００５７】
携帯情報装置２００Ａ〜２００Ｅそれぞれは、パーソナルコンピューターである。携帯情報装置２００Ａ〜２００Ｅのハードウェア構成および機能は同じなので、ここでは特に言及しない限り携帯情報装置２００Ａを例に説明する。なお、携帯情報装置２００Ａ〜２００Ｅそれぞれは、後述する図３の機能を有していればよい。したがって、携帯情報装置２００Ａ〜２００Ｅそれぞれは、後述する図３の機能と同様の機能を有する携帯情報端末であってもよい。このような携帯情報端末として、例えば、スマートフォン、タブレット端末、ＰＤＡ（Ｐｅｒｓｏｎａｌ  Ｄｉｇｉｔａｌ  Ａｓｓｉｓｔａｎｔｓ）等がある。
【００５８】
サーバー３００には、１以上の会議の日時が割り当てられたスケジュールおよび各会議で用いられる資料となる発表データが予め記憶されている。発表データは、会議に参加する１以上のユーザーによって共有されるデータである。また、サーバー３００は、予め定められた会議ごとに、携帯情報装置２００Ａ〜２００Ｅを用いて会議に参加するユーザーを管理する。例えば、携帯情報装置２００Ａ〜２００Ｅの各ユーザーは、会議の開始時に、予め付与されたユーザーＩＤ（識別子）およびパスワードを用いてサーバー３００へ会議の参加を要求する。サーバー３００には、予め複数のユーザーにそれぞれ対応するユーザーＩＤおよびパスワードが管理情報として記憶されている。サーバー３００は、携帯情報装置２００Ａ〜２００Ｅから会議への参加要求があると、参加要求とともに入力されるユーザーＩＤおよびパスワードを管理情報と比較することにより、その参加要求を許可するか否かを判断する。
【００５９】
サーバー３００は、携帯情報装置２００Ａ〜２００Ｅのいずれかからの会議への参加要求を許可する場合に、その参加要求に対応する会議の発表データを、当該携帯情報装置にダウンロードさせる。また、サーバー３００は、携帯情報装置２００Ａ〜２００Ｅのうち参加要求を許可した１以上の携帯情報装置の動作を管理する。
【００６０】
本実施の形態に係る会議システム１においては、会議に参加している複数のユーザーそれぞれは、サーバー３００に自己が発表者となるべき旨を要求することができる。サーバー３００は、あるユーザーから発表者となるべき旨の要求を受けた場合に、予め定められた条件に従ってそのユーザーからの要求を許可するか否かを判断する。
【００６１】
例えば、サーバー３００は、携帯情報装置２００Ａ〜２００Ｅのいずれか、例えば、携帯情報装置２００Ａからの発表者となるべき旨の要求を許可する場合に、その携帯情報装置に発表権限を付与する。一方、サーバー３００は、携帯情報装置２００Ａからの発表者となるべき旨の要求を許可しない場合に、その携帯情報装置２００Ａに発表権限を付与しない。発表権限とは、一の会議についての発表データのうちその会議に参加する全てのユーザーに提示すべき画像（以下、発表画像と呼ぶ。）を指定するとともに、自己の発言を全てのユーザーに出力する権限を意味する。
【００６２】
図２は、本実施の形態における携帯情報装置２００Ａのハードウェア構成の概要を示すブロック図である。図２を参照して、本実施の形態における携帯情報装置２００Ａは、携帯情報装置２００Ａの全体を制御するための中央演算装置（以下「ＣＰＵ」という）２０１と、ＣＰＵ２０１が実行するプログラム等を記憶するＲＯＭ（Ｒｅａｄ  Ｏｎｌｙ  Ｍｅｍｏｒｙ）２０２と、ＣＰＵ２０１の作業領域として使用されるＲＡＭ（Ｒａｎｄｏｍ  Ａｃｃｅｓｓ  Ｍｅｍｏｒｙ）２０３と、データを不揮発的に記憶するフラッシュメモリ２０４と、情報を表示する表示部２０５と、ユーザーの操作を受け付ける操作部２０６と、携帯情報装置２００Ａの周辺の音声を受ける音声入力部２０７と、音声を出力する音声出力部２０８と、無線ＬＡＮＩ／Ｆ（無線ローカルエリアネットワークインターフェース）２０９と、外部記憶装置２１０と、を含む。
【００６３】
フラッシュメモリ２０４は、ＣＰＵ２０１が実行するプログラム、またはそのプログラムを実行するために必要なデータを記憶する。ＣＰＵ２０１は、フラッシュメモリ２０４に記録されたプログラムを、ＲＡＭ２０３にロードして実行する。ＣＰＵ２０１がフラッシュメモリ２０４に記録されたプログラムを実行することにより、後述する参照情報および会議情報が生成され、生成された参照情報および会議情報がフラッシュメモリ２０４に記憶される。
【００６４】
表示部２０５は、ＬＣＤ（液晶表示装置）、有機ＥＬＤ（有機エレクトロルミネッセンス表示装置）等である。操作部２０６は、メインキー２０６Ａと、タッチパネル２０６Ｂと、キーボード２０６Ｃと、マウス２０６Ｄと、を備える。メインキー２０６Ａは、例えば接点スイッチで構成されるハードキーである。タッチパネル２０６Ｂは、表示部２０５の上面または下面に表示部２０５に重畳して設けられる。タッチパネル２０６Ｂは、表示部２０５の表示面中でユーザーにより指示された位置を検出し、検出された表示面の位置をＣＰＵ２０１に出力する。
【００６５】
ＣＰＵ２０１は、表示部２０５に表示されている画面と、タッチパネル２０６Ｂにより検出された位置とに基づいて、ユーザーの操作による各種の指示、文字、数字等のデータの入力を受け付ける。例えば、表示部２０５にテンキーの画像を含む画面を表示する場合には、タッチパネル２０６Ｂによる検出された位置に表示されたキーに対応する数字を受け付ける。さらに、ＣＰＵ２０１は、タッチパネル２０６Ｂから入力される位置情報に基づいて、描画を検出することも可能である。具体的には、ＣＰＵ２０１は、タッチパネル２０６Ｂにより検出される位置の画素の画素値を「１」とし、他の画素の画素値を「０」とする手書き画像を示す描画データを生成する。
【００６６】
キーボード２０６Ｃは、複数の英数キーを含む。ＣＰＵ２０１は、ユーザーにより押下操作された英数キーを検出し、ユーザーの操作による各種の文字、数字等のデータの入力を受け付ける。マウス２０６Ｄは、表示部２０５に表示されるマウスポインタにより任意の位置を指示するための位置指示機構と、１以上のハードキーと、を含む。マウス２０６Ｄの位置指示機構は、ユーザーにより指示された位置情報をＣＰＵ２０１に出力する。マウス２０６Ｄのハードキーは、ユーザーの操作によるオン／オフ信号をＣＰＵ２０１に出力する。ＣＰＵ２０１は、マウス２０６Ｄから入力される位置情報に基づいて、表示部２０５の表示面中でユーザーにより指示された位置を検出する。また、ＣＰＵ２０１は、マウス２０６Ｄから入力されるオン／オフ信号に基づいてユーザーによるマウス２０６Ｄの操作状態（例えばクリック操作、ドラッグ操作等）を検出する。さらに、ＣＰＵ２０１は、マウス２０６Ｄから入力される位置情報およびオン／オフ信号により検出される、位置情報および操作状態に基づいて描画を検出することも可能である。具体的には、ＣＰＵ２０１は、マウス２０６Ｄにより指示される表示部２０５の表示面上の位置の画素の画素値を「１」とし、他の画素の画素値を「０」とする手書き画像を示す描画データを生成することもできる。
【００６７】
音声入力部２０７は例えばマイクロホンであり、音声出力部２０８は例えばスピーカである。音声入力部２０７は、携帯情報装置２００Ａ周辺のユーザーの音声を集音し、集音した音を音声データに変換し、音声データをＣＰＵ２０１に出力する。音声出力部２０８は、ＣＰＵ２０１により制御され、ＣＰＵ２０１から入力される音声データを再生し、音を発生する。
【００６８】
無線ＬＡＮＩ／Ｆ２０９は、無線局３Ａと通信し、携帯情報装置２００Ａをネットワーク２Ａに接続するためのインターフェースである。携帯情報装置２００Ａに、サーバー３００のＩＰ（Ｉｎｔｅｒｎｅｔ  Ｐｒｏｔｏｃｏｌ）アドレスを登録しておくことにより、携帯情報装置２００Ａは、サーバー３００と通信することができ、データの送受信が可能となる。なお、本実施の形態においては、携帯情報装置２００Ａが無線ＬＡＮＩ／Ｆ２０９を用いて、サーバー３００と通信する場合を例に説明するが、他の通信方法を用いて通信するようにしてもよい。具体的には、携帯情報装置２００Ａおよびサーバー３００が、例えばＢｌｕｅｔｏｏｔｈ（登録商標）等の近距離無線装置を搭載する場合には、携帯情報装置２００Ａが、サーバー３００と、１対１で通信するようにしてもよい。
【００６９】
外部記憶装置２１０は、携帯情報装置２００Ａに着脱自在であり、会議再現プログラムが記憶されたＣＤ−ＲＯＭ２１０Ａを装着可能である。ＣＰＵ２０１は、外部記憶装置２１０を介してＣＤ−ＲＯＭ２１０Ａにアクセス可能である。ＣＰＵ２０１は、外部記憶装置２１０に装着されたＣＤ−ＲＯＭ２１０Ａに記録された会議再現プログラムを、ＲＡＭ２０３にロードして実行することが可能である。また、ＣＰＵ２０１は、ＣＤ−ＲＯＭ２１０Ａに記録された会議再現プログラムを、ＲＯＭ２０２またはフラッシュメモリ２０４に記憶させてもよい。この場合、ＣＰＵ２０１は、ＲＯＭ２０２またはフラッシュメモリ２０４に記憶された会議再現プログラムをＲＡＭ２０３にロードして実行することが可能である。
【００７０】
ＣＰＵ２０１が実行するプログラムは、ＲＯＭ２０２、フラッシュメモリ２０４およびＣＤ−ＲＯＭ２１０Ａに予め記憶されたプログラムに限られない。ＣＰＵ２０１は、例えばフラッシュメモリ２０４に記憶されかつネットワーク２Ａ，２Ｂまたはインターネット５に接続された他の携帯情報装置２００Ｂ〜２００Ｅにより書換えられたプログラムを実行してもよい。また、ＣＰＵ２０１は、例えばネットワーク２Ａ，２Ｂまたはインターネット５に接続された他の携帯情報装置２００Ｂ〜２００Ｅによりフラッシュメモリ２０４に追加して書き込まれた新たなプログラムを実行してもよい。さらに、ＣＰＵ２０１は、ネットワーク２またはインターネット５に接続された他のコンピューターからダウンロードされたプログラムを実行してもよい。ここでいうプログラムは、ＣＰＵ２０１が直接実行可能なプログラムだけでなく、ソースプログラム、圧縮処理されたプログラム、または暗号化されたプログラム等を含む。
【００７１】
ＣＰＵ２０１が実行するプログラムを記憶する媒体は、ＣＤ−ＲＯＭ２１０Ａに限られず、ＭＯ（Ｍａｇｎｅｔｉｃ  Ｏｐｔｉｃａｌ  ｄｉｓｃ）、ＭＤ（Ｍｉｎｉ  Ｄｉｓｃ）、ＤＶＤ（Ｄｉｇｉｔａｌ  Ｖｅｒｓａｔｉｌｅ  Ｄｉｓｃ）等の光ディスクであってもよい。また、ＣＰＵ２０１が実行するプログラムを記憶する媒体は、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の半導体メモリであってもよい。
【００７２】
図３は、携帯情報装置２００Ａが備えるＣＰＵ２０１が有する機能の一例を示すブロック図である。図３においては、携帯情報装置２００Ｂ〜２００Ｅが他装置として示される。
【００７３】
図３に示す機能は、携帯情報装置２００Ａ〜２００Ｅそれぞれが備えるＣＰＵ２０１が、ＲＯＭ２０２、フラッシュメモリ２０４、ＣＤ−ＲＯＭ２１０Ａに記憶された各種プログラムを実行することにより、ＣＰＵ２０１に形成される機能である。携帯情報装置２００Ａ〜２００Ｅそれぞれが備えるＣＰＵ２０１が有する機能は同じである。以下では、携帯情報装置２００Ａ〜２００ＥのＣＰＵ２０１を代表して、携帯情報装置２００ＡのＣＰＵ２０１が有する機能を説明する。
【００７４】
図３を参照して、ＣＰＵ２０１は、会議情報取得部１１０と、参照情報取得部１２０と、グループ化部１３０と、グループリスト表示部１３１と、グループ期間決定部１３２と、選択部１３３と、再生期間決定部１３６と、追加情報表示部１５０と、会議情報出力部１６０と、再生動作指示部１７０と、計時部１９０と、を含む。計時部１９０は、現時点の時刻情報を取得し、取得した時刻情報を会議情報取得部１１０および参照情報取得部１２０に出力する。
【００７５】
会議情報取得部１１０は、時間の経過に伴って変化する会議の状態に関する情報を会議情報として取得する。会議情報は、会議に参加するユーザーの携帯情報装置２００Ａ〜２００Ｅのいずれかで生成される。会議情報取得部１１０は、装置モードが発表モードにある状態で、会議情報を生成し、生成された会議情報を無線ＬＡＮＩ／Ｆ２０９を介して他の携帯情報装置２００Ｂ〜２００Ｅに送信する。一方、会議情報取得部１１０は、装置モードが参加モードにある状態で、他の携帯情報装置２００Ｂ〜２００Ｅのうち発表モードにある携帯情報装置から送信される会議情報を受信する。会議情報取得部１１０は、発表モードで会議情報を生成し、参加モードで会議情報を受信するので、携帯情報装置２００Ａのユーザーが参加する会議の期間中、会議情報を継続して取得する。
【００７６】
ここでは、会議に参加するユーザーの携帯情報装置２００Ａ〜２００Ｅのうち装置モードが発表モードにある携帯情報装置２００Ａで会議情報を生成する場合を説明する。この場合、携帯情報装置２００Ａが有する会議情報取得部１１０が会議情報を生成し、無線ＬＡＮＩ／Ｆ２０９を介して他の携帯情報装置２００Ｂ〜２００Ｅに会議情報を送信する。他の携帯情報装置２００Ｂ〜２００Ｅそれぞれが有する会議情報取得部１１０は、携帯情報装置２００Ａにより生成された会議情報を携帯情報装置２００Ａから受信することにより、会議情報を取得する。
【００７７】
会議情報は、音声関連情報、発表画像関連情報およびポインタ関連情報を含む。音声関連情報は、発表権限が付与された発表者の音声を、その音声が発生された時刻に関連付けた情報である。発表画像関連情報は、発表データのうち発表者により指定される発表部分を、その発表部分が指定された時刻に関連付けた情報である。ポインタ関連情報は、発表者により指示されるマウスポインタの位置を、その位置が指示された時刻に関連付けた情報である。
【００７８】
会議情報取得部１１０は、装置モード切換部１１１、音声取得部１１２、発表部分設定部１１４およびポインタ位置検出部１１５を含む。
【００７９】
装置モード切換部１１１は、ユーザーが会議に参加している状態で、装置モードを発表モードと参加モードとのいずれかに切り換える。具体的には、装置モード切換部１１１は、デフォルトで装置モードを参加モードに設定する。装置モード切換部１１１は、装置モードが参加モードにある状態で操作部２０６により発表モードがユーザーにより選択されると、無線ＬＡＮＩ／Ｆ２０９を制御して自己が発表者となるべき旨の要求信号をサーバー３００に送信する。装置モード切換部１１１は、サーバー３００によって発表者となるべき旨の要求が許可されることを条件に、すなわち携帯情報装置２００Ａのユーザーに発表権限が付与された場合に装置モードを発表モードに切り換える。一方、装置モード切換部１１１は、サーバー３００によって発表者となるべき旨の要求が許可されない場合、すなわち携帯情報装置２００Ａのユーザーに発表権限が付与されない場合、装置モードを発表者モードに切り換えることなく、参加モードを維持する。
【００８０】
携帯情報装置２００Ａは、装置モードが発表モードに切り換えられている状態で、発表部分を設定することが可能である。発表部分は、会議に用いられる発表データのうち会議に参加するユーザーの携帯情報装置２００Ａ〜２００Ｅそれぞれに表示される部分である。携帯情報装置２００Ａは、参加モードにある状態で、発表部分を設定することが不可能である。
【００８１】
音声取得部１１２は、音声入力部２０７から入力される音声データを取得する。会議情報取得部１１０は、発表モードにある状態で計時部１９０により取得される時刻情報に基づいて発表開始時刻および発表終了時刻を検出する。発表開始時刻は、装置モードが参加者モードから発表モードに切り換えられた時刻であり、携帯情報装置２００Ａのユーザーが発表者になった時刻である。発表終了時刻は、装置モードが発表モードから参加者モードに切り換えられた時刻であり、携帯情報装置２００Ａのユーザーが発表者でなくなった時刻である。会議情報取得部１１０は、発表開始時刻から発表終了時刻の間に音声取得部１１２により取得された音声データを取得する。会議情報取得部１１０は、音声データを、検出された発表開始時刻および発表終了時刻と関連付けることにより音声関連情報を生成する。
【００８２】
発表部分設定部１１４は、発表モードにある状態で、発表者が操作部２０６を操作して発表ページを指定すると、指定された発表ページを抽出するとともに、発表ページの全体を発表部分に設定する。また、発表部分設定部１１４は、発表ページが抽出され状態で、発表者が操作部２０６を操作して発表ページを拡大または縮小すると、発表ページ中で拡大または縮小後の領域を発表部分に設定する。会議情報取得部１１０は、発表モードにある状態で発表部分設定部１１４により設定された発表部分を、計時部１９０により取得される時刻情報に関連付けることにより発表画像関連情報を生成する。
【００８３】
ポインタ位置検出部１１５は、発表モードにある状態で、発表者がマウス２０６Ｄを操作することによるマウスポインタの位置を検出する。会議情報取得部１１０は、発表モードにある状態で、ポインタ位置検出部１１５により検出された位置を、計時部１９０により取得される時刻情報に関連付けることによりポインタ関連情報を生成する。
【００８４】
会議情報取得部１１０は、会議情報を取得することに応じて、会議情報に含まれる発表画像関連情報で特定される発表部分の画像を表示部２０５に表示するとともに、取得された会議情報を参照情報取得部１２０、グループリスト表示部１３１および会議情報出力部１６０に出力する。
【００８５】
図４は、音声関連情報のフォーマットの一例を示す図である。図４を参照して、音声関連情報は、音声データの項目と、発表開始時刻の項目と、発表終了時刻の項目と、を含む。音声データの項目には、発表者の音声を電子データに変換した音声データが設定される。発表開始時刻の項目には、装置モードが発表モードに切り換えられた時刻が設定され、発表終了時刻の項目には、装置モードが発表モードから参加者モードに切り換えられた時刻が設定される。
【００８６】
図５は、発表画像関連情報のフォーマットの一例を示す図である。図５を参照して、発表画像関連情報は、ページデータの項目と、部分データの項目と、時刻情報の項目と、を含む。ページデータの項目には、会議に用いられる発表データに含まれる複数ページのうち発表者により指定された発表ページを識別するためのページ識別情報が設定される。部分データの項目には、発表ページのうち発表者により指定された領域を識別するための領域識別情報が設定される。時刻情報の項目には、発表ページのうち発表者により領域が指定された時点の時刻が設定される。
【００８７】
図６は、ポインタ関連情報のフォーマットの一例を示す図である。図６を参照して、ポインタ関連情報は、位置の項目と、時刻情報の項目と、を含む。位置の項目には、発表者がマウスポインタで表示部２０５の画面上を指示した位置を示す位置データが設定され、時刻情報の項目には、位置データで示される位置が指示された時刻が設定される。
【００８８】
図３に戻って、参照情報取得部１２０は、参照情報を取得する。参照情報は、会議に参加する携帯情報装置２００Ａ〜２００Ｅそれぞれのユーザーが入力する追加情報を、その追加情報が入力される発表データ中の位置およびその追加情報が入力される時刻と関連付けた情報である。具体的には、参照情報は、追加情報を入力したユーザーを識別するためのユーザー識別情報と、追加情報と、追加情報の発表データ中の位置を示す位置情報と、入力期間と、を含む。
【００８９】
参照情報取得部１２０は、操作部２０６が追加情報を受け付けると、参照情報を生成するとともに、生成された参照情報を、無線ＬＡＮＩ／Ｆ２０９を介して、他の携帯情報装置２００Ｂ〜２００Ｅそれぞれに送信する。追加情報は、携帯情報装置２００Ａを操作するユーザーが操作部２０６を操作して、入力する情報である。参照情報取得部１２０は、例えばキーボード２０６Ｃまたはソフトキーボードが文字列を受け付けると受け付けられた文字列を追加情報として受け付ける。また、参照情報取得部１２０は、ユーザーが指またはスタイラスペン等で指示する表示部２０５の表面中の位置を、タッチパネル２０６Ｂが検出する場合、検出された位置に基づいて手書きの描画を追加情報として受け付ける。
【００９０】
参照情報取得部１２０は、追加情報を受け付ける場合、携帯情報装置２００Ａを操作するユーザー、追加情報が入力された発表データ中の位置、および入力期間を決定する。具体的には、参照情報取得部１２０は、携帯情報装置２００Ａにログインしたユーザーを携帯情報装置２００Ａを操作するユーザーに決定する。また、参照情報取得部１２０は、会議情報取得部１１０から入力される会議情報に含まれる発表画像関連情報で特定される発表部分と、表示部２０５に表示されている発表部分の画像中で追加情報が入力される領域の位置を位置情報に決定する。位置情報は、会議データに含まれる複数ページのうち発表部分が含まれるページを識別するためのページ識別情報と、そのページ中で追加情報が配置される領域の位置を示す領域位置情報と、を含む。さらに、参照情報取得部１２０は、計時部１９０により取得される時刻情報に基づいて、入力期間を決定する。入力期間は、追加情報の入力が開始された入力開始時刻から追加情報の入力が終了した入力終了時刻までの期間である。
【００９１】
参照情報取得部１２０は、無線ＬＡＮＩ／Ｆ２０９が他の携帯情報装置２００Ｂ〜２００Ｅのいずれかから参照情報を受信すると、受信された参照情報を取得する。このため、参照情報取得部１２０は、携帯情報装置２００Ａを操作するユーザーが入力する追加情報に対応する参照情報を生成し、携帯情報装置２００Ｂ〜２００Ｅを操作するユーザーが入力する追加情報に対応する参照情報を受信するので、会議の期間中、会議に参加する全てのユーザーが入力する追加情報にそれぞれ対応する参照情報を継続して取得する。参照情報取得部１２０は、取得された参照情報をグループ化部１３０および再生期間決定部１３６に出力する。
【００９２】
図７は、参照情報のフォーマットの一例を示す図である。図７を参照して、参照情報は、ユーザーＩＤの項目と、追加情報の項目と、位置情報の項目と、入力期間の項目と、を含む。ユーザーＩＤの項目には、ユーザーを識別するためのユーザー識別情報が設定される。追加情報の項目には、ユーザーＩＤの項目に設定されたユーザー識別情報で特定されるユーザーにより入力される追加情報が設定される。位置情報の項目には、会議データ中で追加情報が入力される領域の位置を示す位置情報が設定される。入力期間の項目は、開示時刻の項目と、終了時刻の項目と、を含む。開始時刻の項目は、追加情報の入力が開始された入力開始時刻が設定され、終了時刻の項目は、追加情報の入力が終了した入力終了時刻が設定される。
【００９３】
図３に戻って、グループ化部１３０は、参照情報取得部１２０から入力される複数の参照情報を、１以上のグループのいずれかに分類する。例えば、グループ化部１３０は、位置情報により示される位置が発表データ中の所定範囲内にありかつ入力開始時刻が所定期間以内である１以上の参照情報を同じグループに分類する。なお、入力開始時刻が所定期間以内の１以上の参照情報を同じグループに分類するようにしてもよい。ここで、所定範囲および所定期間は、携帯情報装置２００Ａを操作するユーザーにより設定されてもよいし、会議システム１において予め定められてもよい。会議システム１において予め定められる場合、所定範囲および所定期間は、携帯情報装置２００Ａ〜２００Ｄで同じ値となる。所定範囲および所定期間は、携帯情報装置２００Ａのユーザーにより設定される値である。所定範囲が短いほど、または所定期間が短いほど、グループ数が多くなる。反対に、所定範囲が長いほど、または所定期間が長いほど、グループ数が少なくなる。ここでは、グループ化部１３０が、位置情報により示される位置が発表データ中の所定範囲内にあり、かつ入力開始時間が所定期間以内である１以上の参照情報を同じグループに分類する場合を例に説明する。グループ化部１３０は、１以上のグループごとに１以上の参照情報を、グループリスト表示部１３１、グループ期間決定部１３２および追加情報表示部１５０に出力する。
【００９４】
グループ期間決定部１３２には、グループ化部１３０から１以上のグループごとに１以上の参照情報が入力される。グループ期間決定部１３２は、１以上のグループごとにグループ期間を決定する。グループ期間決定部１３２は、１以上のグループごとに、そのグループに属する１以上の参照情報にそれぞれ含まれる入力期間に基づいてグループ期間を決定する。具体的には、グループ期間決定部１３２は、処理対象とするグループに属する１以上の参照情報にそれぞれ含まれる１以上の入力開始時刻のうち最も前の時刻から処理対象とするグループに属する１以上の参照情報にそれぞれ含まれる１以上の入力終了時刻のうち最も後の時刻までの期間をグループ期間として決定する。グループ期間決定部１３２は、１以上のグループごとに決定されたグループ期間を再生期間決定部１３６に出力する。
【００９５】
グループリスト表示部１３１は、グループ化部１３０から１以上のグループごとに１以上の参照情報が入力され、会議情報取得部１１０から会議情報が入力される。グループリスト表示部１３１は、１以上のグループそれぞれを識別するためのグループ識別情報を表示部２０５に選択可能に表示する。グループリスト表示部１３１は、グループ化部１３０から１以上のグループごとに１以上の参照情報に基づいて、１以上のグループそれぞれのグループ識別情報を生成する。グループ識別情報は、そのグループに属する１以上の参照情報にそれぞれ含まれる１以上の追加情報、そのグループに属する１以上の参照情報にそれぞれ含まれる１以上の位置情報で特定される領域の位置を示す情報およびそのグループのグループ期間のうち少なくとも１つである。
【００９６】
ここでは、グループ識別情報を、グループに属する１以上の参照情報にそれぞれ含まれる１以上の追加情報およびそのグループに属する１以上の参照情報にそれぞれ含まれる１以上の位置情報とする場合を例に説明する。グループリスト表示部１３１は、グループに属する１以上の参照情報と、会議情報取得部１１０から入力される会議情報に含まれる発表画像関連情報とに基づいて、１以上の参照情報にそれぞれ対応する１以上の参照画像を生成する。参照画像は、参照情報に含まれるユーザー識別情報と、追加情報と、発表画像関連情報で特定される発表部分中で参照情報に含まれる位置情報で特定される領域の画像と、を含む。具体的には、グループリスト表示部１３１は、発表画像関連情報で特定される発表部分中で、参照情報に含まれる位置情報で特定される領域を含む部分の画像に、参照情報に含まれる追加情報の画像を参照情報に含まれる位置情報で特定される領域に合成した画像に、参照情報に含まれるユーザー識別情報の画像を付加することにより、参照画像を生成する。グループリスト表示部１３１は、グループに属する１以上の参照情報にそれぞれ対応する１以上の参照画像を生成し、生成された１以上の参照画像を配列した画像をグループ識別情報として生成する。グループリスト表示部１３１は、１以上のグループにそれぞれ対応して生成された１以上のグループ識別情報を配列したグループリストを表示部２０５に表示する。
【００９７】
選択部１３３は、グループ選択部１３４および参照情報選択部１３５を含む。グループ選択部１３４は、グループリスト表示部１３１により表示部２０５に選択可能に表示された１以上のグループ識別情報のうちから１つをユーザーが操作部２０６に入力する操作に基づいて選択する。具体的には、グループ選択部１３４は、例えば表示部２０５に表示される１以上のグループ識別情報のうちのいずれかの位置にマウスポインタが配置された状態でマウス２０６Ｄのクリック操作を受け付けることにより、マウスポインタが配置される位置に表示されたグループ識別情報で識別されるグループを選択する。これにより、ユーザーは所望のグループを容易に選択することができる。グループ選択部１３４は、ユーザーによりグループが選択されることに応じて、選択されたグループのグループ識別情報を再生期間決定部１３６および追加情報表示部１５０に出力する。
【００９８】
参照情報選択部１３５は、グループ選択部１３４によりグループが選択された状態で、選択されたグループ識別情報に含まれる１以上の参照画像のうち１つをユーザーが操作部２０６に入力する操作に基づいて選択する。具体的には、参照情報選択部１３５は、グループ識別情報に含まれる１以上の参照画像のうちのいずれかの位置にマウスポインタが配置された状態で、マウス２０６Ｄのクリック操作を受け付けることにより、マウスポインタが配置される位置に表示された参照画像に対応する参照情報を選択する。参照情報選択部１３５は、ユーザーにより参照情報が選択されることに応じて、選択された参照情報を識別するための参照情報識別情報を再生期間決定部１３６および追加情報表示部１５０に出力する。
【００９９】
再生期間決定部１３６は、グループ期間決定部１３２から１以上のグループそれぞれのグループ期間が入力され、選択部１３３からグループ識別情報が入力される。再生期間決定部１３６は、グループ識別情報が入力されることに応じて、グループ期間決定部１３２から入力される１以上のグループそれぞれのグループ期間のうちからグループ識別情報で特定されるグループのグループ期間を決定し、決定したグループ期間を再生期間に決定する。再生期間は、再生開始時刻から再生終了時刻までの期間を示す。再生期間決定部１３６は、選択部１３３からグループ識別情報が与えられると、グループ期間決定部１３２から入力される１以上のグループそれぞれのグループ期間のうちからグループ識別情報が示すグループのグループ期間を再生期間に決定する。
【０１００】
さらに、再生期間決定部１３６は、選択部１３３からグループ識別情報が入力された後に、参照情報識別情報が入力される場合がある。再生期間決定部１３６は、選択部１３３から参照情報識別情報が与えられると、参照情報取得部１２０から入力される複数の参照情報のうちから参照識別情報が示す参照情報を特定し、特定された参照情報に含まれる入力期間を再生期間に決定する。
【０１０１】
再生期間決定部１３６は、再生期間変更部１３７を含む。再生期間変更部１３７は、再生期間決定部１３６において決定された再生期間をユーザーによる操作部２０６の操作に基づいて変更する。再生期間変更部１３７は、ユーザーが操作部２０６に入力する操作に従って、再生開始時刻および／または再生終了時刻を変更する。例えば、再生期間変更部１３７は、操作部２０６が再生期間を伸長する操作を受け付けると、再生開始時刻をより前の時刻に変更するとともに再生終了時刻をより後の時刻に変更する。再生期間変更部１３７は、操作部２０６が再生期間を短縮する操作を受け付けると、再生開始時刻をより後の時刻に変更するとともに再生終了時刻をより前の時刻に変更する。再生期間変更部１３７は、操作部２０６が再生期間を変更する操作を受け付けない場合は、再生期間決定部１３６において決定された再生期間を変更しない。
【０１０２】
再生期間決定部１３６は、決定された再生期間、再生期間が再生期間変更部１３７により変更される場合には変更された再生期間を会議情報出力部１６０に出力する。
【０１０３】
会議情報出力部１６０は、会議情報取得部１１０から会議情報が入力され、再生期間決定部１３６から再生期間が入力される。会議情報出力部１６０は、会議情報のうち再生期間に対応する部分を出力する。会議情報出力部１６０は、発表データ部分表示部１６１、会議音声出力部１６２、テキスト変換出力部１６３、静的出力制御部１６４および動的出力制御部１６５を含む。
【０１０４】
発表データ部分表示部１６１は、会議情報取得部１１０により取得される会議情報の発表画像関連情報に基づいて、再生期間中に対応する発表部分を発表画像として表示部２０５の表示面中で予め定められた再現領域に表示する。具体的には、発表データ部分表示部１６１は、発表画像関連情報のうち時刻情報の項目に再生期間内の時刻が設定された発表画像関連情報を抽出する。発表データ部分表示部１６１は、抽出された発表画像関連情報のページデータの項目に設定されたページ識別情報および部分データの項目に設定された領域識別情報で特定される発表データ中の発表部分を特定する。
【０１０５】
会議音声出力部１６２は、会議情報取得部１１０により取得される会議情報の音声関連情報に基づいて、再生期間中の発表者の音声を音声出力部２０８から出力する。具体的には、会議音声出力部１６２は、音声データの項目に再生期間内の時刻が設定された音声関連情報をすべて抽出する。会議音声出力部１６２は、抽出された音声関連情報の音声データの項目に設定された音声データを音声出力部２０８から出力する。それにより、ユーザーは会議における発表内容をより詳細に把握することができる。
【０１０６】
テキスト変換出力部１６３は、音声認識することにより会議情報取得部１１０から取得される音声関連情報の音声データをテキストデータに変換する。また、テキスト変換出力部１６３は、再生期間中の音声を文字認識したテキストデータの文字列を表示部２０５の表示面で予め定められた領域に表示する。具体的には、テキスト変換出力部１６３は、音声データの項目に再生期間内の時刻が設定された音声関連情報をすべて抽出する。テキスト変換出力部１６３は、抽出された音声関連情報の音声データをテキストデータに変換し、変換されたテキストデータの文字列を表示部２０５に表示する。それにより、会議中の発表者の音声をユーザーに視覚で認識させることができる。
【０１０７】
テキスト変換出力部１６３は、再生期間中のテキストデータの文字列に限らず再生期間以外の期間におけるテキストデータの文字列を表示部２０５に表示してもよい。この場合、テキスト変換出力部１６３は、例えば再生期間中のテキストデータの文字列を再生期間を除く期間中のテキストデータの文字列とは異なる表示態様で強調表示する。それにより、ユーザーは、再生期間における発表者の音声を容易に認識することができる。
【０１０８】
静的出力制御部１６４は、会議情報取得部１１０により取得される会議情報のポインタ関連情報に基づいて、再生期間中のマウスポインタの軌跡を示す軌跡画像を、表示部２０５に発表データ部分表示部１６１により表示される発表画像上に重畳表示する。具体的には、静的出力制御部１６４は、ポインタ関連情報のうち時刻情報の項目に再生期間内の時刻が設定されたポインタ関連情報をすべて抽出する。静的出力制御部１６４は、再現領域中で、抽出されたポインタ関連情報の位置の項目に設定された位置データで特定される位置を含む軌跡画像を表示する。再現領域には、再現期間における発表部分の画像が表示されているので、ユーザーは、再生期間における発表者のマウスポインタの軌跡を発表部分とともに容易に認識することができる。静的出力制御部１６４は、マウスポインタの軌跡画像の表示態様を時間の経過とともに変化させて表示する。それにより、ユーザーは再生期間における発表者のマウスポインタの移動方向、移動速度等の操作状態を認識することができる。
【０１０９】
動的出力制御部１６５は、会議情報取得部１１０により取得される会議情報のポインタ関連情報に基づいて、再生期間中のマウスポインタの動きを示す動画を表示部２０５の再現領域に重畳表示する。具体的には、動的出力制御部１６５は、ポインタ関連情報のうち時刻情報の項目に再生期間内の時刻が設定されたポインタ関連情報をすべて抽出する。動的出力制御部１６５は、再現領域中で、抽出されたポインタ関連情報の位置の項目に設定された位置データで特定される位置にマウスポインタの画像を表示する。再現領域には、再現期間における発表部分の画像が表示されているので、ユーザーは、再生期間における発表者のマウスポインタの位置、移動方向および移動速度等の操作状態を容易に認識することができる。
【０１１０】
再生動作指示部１７０は、発表者が操作部２０６を操作して会議情報の再生に関する動作を指示すると、指示された動作を受け付ける。また、再生動作指示部１７０は、指示された動作に基づいて会議情報出力部１６０の動的出力制御部１６５を制御する。例えば、再生動作指示部１７０は、会議情報の再生が指示されると、動的出力制御部１６５に再生期間中のポインタの動きを示す動画を再生させる。また、再生動作指示部１７０は、会議情報の再生中に会議情報の再生の停止が指示されると、動的出力制御部１６５に再生されている動画を停止させる。さらに、再生動作指示部１７０は、会議情報の逆再生が指示されると、動的出力制御部１６５に再生期間中のポインタの動きを示す動画を逆再生する。また、再生動作指示部１７０は、会議情報の逆再生中に会議情報の逆再生の停止が指示されると、動的出力制御部１６５に逆再生されている動画を停止させる。
【０１１１】
なお、再生動作指示部１７０は、指示された動作に基づいて動的出力制御部１６５により会議音声出力部１６２を制御してもよい。この場合、再生動作指示部１７０は、会議情報の再生が指示されると、動的出力制御部１６５により会議音声出力部１６２に再生期間中の発表者の音声を再生させる。また、再生動作指示部１７０は、会議情報の再生中に会議情報の再生の停止が指示されると、動的出力制御部１６５により会議音声出力部１６２に再生されている音声を停止させる。
【０１１２】
会議情報出力部１６０は、再生期間決定部１３６により決定された再生期間に対応する会議情報の部分を１回のみ再生してもよい。または、会議情報出力部１６０は、再生期間決定部１３６により決定された再生期間に対応する会議情報の部分を繰り返し再生してもよい。
【０１１３】
また、再生期間決定部１３６は、グループ選択部１３４により第１のグループが選択された後に第２のグループが選択される場合であって、第１のグループに対応する第１のグループ期間と第２のグループに対応する第２のグループ期間とが重なる場合に、第１のグループ期間を再生期間に決定した後、第２のグループ期間のうち第１のグループ期間と重ならない部分を再生期間に決定する。この場合、第１のグループ期間と第２のグループ期間とが重なる期間に対応する会議情報が繰り返し出力されない。したがって、会議情報の出力が冗長にならない。
【０１１４】
さらに、再生期間決定部１３６は、参照情報選択部１３５により第１の参照情報が選択された後に第２の参照情報が選択される場合であって、第１の参照情報に対応する第１の入力期間と第２の参照情報に対応する第２の入力期間とが重なる場合に、第１の入力期間を再生期間に決定した後、第２の入力期間のうち第１の入力期間と重ならない部分を再生期間に決定する。この場合においても、第１の入力期間と第２の入力期間とが重なる期間に対応する会議情報が繰り返し出力されない。したがって、会議情報の出力が冗長にならない。
【０１１５】
追加情報表示部１５０は、グループ化部１３０から１以上のグループごとの１以上の参照情報が入力され、選択部１３３からグループ識別情報が入力される。追加情報表示部１５０は、選択部１３３からグループ識別情報が入力されることに応じて、グループ識別情報で特定されるグループに属する１以上の参照情報に基づいて、表示部２０５の再現領域に１以上の参照情報にそれぞれ含まれる１以上の追加情報を表示する。具体的には、追加情報表示部１５０は、参照情報に含まれる追加情報の画像を、表示部２０５の再現領域中で参照情報に含まれる位置情報で特定される位置に表示する。表示部２０５の再現領域には、発表データ部分表示部１６１によって発表部分の画像が表示されているので、追加情報表示部１５０は、追加情報の画像を発表部分の画像に重畳表示する。
【０１１６】
追加情報表示部１５０は、選択部１３３から参照情報識別情報が入力されることに応じて、参照情報識別情報で特定される参照情報に含まれる追加情報の画像を、他の追加情報の画像の表示態様と異なる表示態様で表示する。これにより、ユーザーにより選択された参照画像に対応する追加画像の発表部分の画像中の位置を、ユーザーに通知することができる。
【０１１７】
以下の説明では、携帯情報装置２００Ａ，２００Ｂ，２００Ｃ，２００Ｄ，２００ＥそれぞれのユーザーをユーザーＡ、ユーザーＢ、ユーザーＣ、ユーザーＤおよびユーザーＥと呼ぶ。図８は、ユーザーＡが携帯情報装置２００Ａを操作して会議に参加するときの表示部２０５の表示状態の一例を示す図である。
【０１１８】
図８を参照して、携帯情報装置２００Ａの表示部２０５の画面上には、参加ボタン２２１、発表ボタン２２２および一覧ボタン２２３が表示されるとともに、発表画像表示領域２３１が設けられる。ユーザーＡは、操作部２０６を用いて参加ボタン２２１、発表ボタン２２２および一覧ボタン２２３をそれぞれ操作することができる。
【０１１９】
発表ボタン２２２は、「参加中」の文字列および「個人モード」の文字列のいずれかが表示される。発表ボタン２２２は、デフォルトで「個人モード」の文字列が表示される。ユーザーＡが、「個人モード」の文字列が表示された参加ボタン２２１を操作すると、携帯情報装置２００Ａは、ユーザーＩＤおよびパスワードを用いてサーバー３００へ会議の参加を要求する。サーバー３００により会議への参加の要求が許可されると、参加ボタン２２１には「参加中」の文字列が表示される。このとき、発表画像表示領域２３１には、発表画像が表示される。一方、サーバー３００により会議への参加の要求が許可されないと、参加ボタン２２１には「個人モード」の文字列が表示される。発表ボタン２２２に「個人モード」の文字列が表示される場合は、携帯情報装置２００ＡのユーザーＡが会議に参加していないことを示す。
【０１２０】
発表ボタン２２２は、「発表」の文字列と、「書込み」の文字列とのいずれかが表示される。発表ボタン２２２は、デフォルトで「書込み」の文字列が表示される。ユーザーＡが、「書込み」の文字列が表示された発表ボタン２２２を操作すると、ＣＰＵ２０１は、サーバー３００に自己が発表者となるべき旨を要求する。サーバー３００により発表者となるべき旨の要求が許可され、発表権限が付与されると、発表ボタン２２２には「発表」の文字列が表示される。サーバー３００により発表者となるべき旨の要求が許可されないことにより発表権限が付与されないと、発表ボタン２２２には「書込み」の文字列が表示されたままである。
【０１２１】
ＣＰＵ２０１により取得される参照情報の具体例を説明する。図９は、ユーザーＡの携帯情報装置２００Ａにおいて生成される参照情報の一例を示す図である。図９を参照して、発表画像表示領域２３１に発表画像が表示されるとともに、発表画像の左上の領域に、追加情報として手書きの描画画像ｐ１が配置されている。ここでは、追加情報の入力期間を、１３時００分００秒から１３時００分０７秒までとしている。
【０１２２】
図１０は、ユーザーＢの携帯情報装置２００Ｂにおいて生成される参照情報の一例を示す図である。図１０を参照して、発表画像表示領域２３１に発表画像が表示されるとともに、発表画像の左上の領域に、追加情報として吹き出しおよび「誤記」という文字列を含む画像ｐ２が配置されている。ここでは、追加情報の入力期間を、１３時００分０５秒から１３時００分０９秒までとしている。
【０１２３】
図１１は、ユーザーＣの携帯情報装置２００Ｃにおいて生成される参照情報の一例を示す図である。図１１を参照して、発表画像表示領域２３１に発表画像が表示されるとともに、発表画像の右上の領域に、追加情報として手書きの描画画像ｐ３が配置されている。ここでは、追加情報の入力期間を、１３時００分０８秒から１３時００分２８秒までとしている。
【０１２４】
図１２は、ユーザーＤの携帯情報装置２００Ｄにおいて生成される参照情報の一例を示す図である。図１２を参照して、発表画像表示領域２３１に発表画像が表示されるとともに、発表画像の左下の領域に、追加情報として手書きの描画画像ｐ４が配置されている。ここでは、追加情報の入力期間を、１３時００分３０秒から１３時００分３８秒までとしている。
【０１２５】
図１３は、ユーザーＥの携帯情報装置２００Ｅにおいて生成される参照情報の一例を示す図である。図１３を参照して、発表画像表示領域２３１に発表画像が表示されるとともに、発表画像の左下の領域に、追加情報として手書きの描画画像ｐ５が配置されている。ここでは、追加情報の入力期間は、１３時００分２５秒から１３時００分２９秒までとしている。
【０１２６】
図１４は、参照情報のグループ化の例を示す模式図である。図１４では、図１０〜図１４に示したユーザーＡ〜Ｅそれぞれの参照情報をグループ化する場合を例に示している。図１４を参照して、ユーザーＡ〜Ｅそれぞれの参照情報の入力期間を時間軸上に白抜きの線で示される。ユーザーＡ〜Ｅそれぞれの参照情報は、入力開始時刻が所定期間以内にあり、かつ、位置情報により示される位置が発表画像中の所定範囲内にある１以上の参照情報が同じグループに分類される。
【０１２７】
具体的には、所定期間として、例えばｎ（ｎは自然数）秒間が予め設定される。また、所定範囲として、例えば追加情報の入力された位置を中心としてｍ（ｍは自然数）画素の範囲が設定される。この場合、ユーザーＡ〜Ｅにそれぞれ対応する５つの参照情報それぞれは、当該参照情報に含まれる入力開始時刻からｎ秒間の間に入力開始時刻が存在し、かつ、当該参照情報に含まれる追加情報の位置からｍ画素の範囲内にある参照情報を、当該参照情報と同じグループに分類する。このように、所定期間は、処理対象とする参照情報の入力開始時刻を基準として相対的に定められる。また、所定範囲は、処理対象の参照情報に含まれる追加情報の位置を基準として相対的に定められる。なお、互いに異なる追加情報の少なくとも一部が重複することが、所定範囲内であることを満たす条件として予め設定されてもよい。
【０１２８】
図９および図１０を参照して、ユーザーＡの追加情報の位置とユーザーＢの追加情報の位置とはほぼ等しく、ユーザーＢの追加情報はユーザーＡの追加情報から所定範囲内にあるものとする。また、ユーザーＡの参照情報に含まれる入力開始時刻とユーザーＢの参照情報に含まれる入力開始時刻との間の差分は１０秒以内であり、所定期間内であるものとする。この場合、図１４を参照して、ユーザーＡの参照情報とユーザーＢの参照情報とは第１グループに分類される。また、ユーザーＡの参照情報に含まれる入力開始時刻１３：００：００からユーザーＢの参照情報に含まれる入力終了時刻１３：００：０９までを第１グループのグループ期間αに決定する。
【０１２９】
図１１を参照して、ユーザーＣの参照情報の追加情報は、ユーザーＡ，Ｂ，Ｄ，Ｅの参照情報の追加情報から大きく離間しており、ユーザーＡ，Ｂ，Ｄ，Ｅの追加情報はユーザーＡの追加情報から所定範囲内にないものとする。この場合、図１４を参照して、ユーザーＣの参照情報のみを第２グループに分類する。また、ユーザーＣの参照情報に含まれる入力開始時刻１３：００：０８からユーザーＣの参照情報に含まれる入力終了時刻１３：００：２８までを第２グループのグループ期間βに決定する。
【０１３０】
図１２および図１３を参照して、ユーザーＤの追加情報の位置とユーザーＥの追加情報の位置とはほぼ等しく、ユーザーＥの追加情報はユーザーＤの追加情報から所定範囲内にあるものとする。また、ユーザーＤの参照情報に含まれる入力開始時刻とユーザーＥの参照情報に含まれる入力開始時刻との間の差分は１０秒以内であり、所定期間内であるものとする。この場合、図１４を参照して、ＣＰＵ２０１は、ユーザーＤの参照情報とユーザーＥの参照情報とを第３グループに分類する。また、ユーザーＥの参照情報に含まれる入力開始時刻１３：００：２５からユーザーＤの参照情報に含まれる入力終了時刻１３：００：３８までを第３グループのグループ期間γに決定する。
【０１３１】
図８を参照して、ユーザーＡが一覧ボタン２２３を操作すると、第１〜第３グループそれぞれのグループ識別情報を配列したグループリストが表示部２０５に表示される。図１５は、グループリストの一例を示す図である。図１５を参照して、発表画像表示領域２３１の側方にグループリスト表示領域２４１が設けられる。また、グループリスト表示領域２４１の上方に伸長設定ボタン２９１および戻るボタン２９２が表示される。
【０１３２】
グループリスト表示領域２４１には、第１、第２および第３のグループそれぞれを識別するためのグループ識別情報２４２が表示される。各グループ識別情報２４２においては、そのグループ識別情報２４２に対応するグループに属する参照情報の参照画像２４３が配列される。各参照画像２４３は、その参照情報に含まれるユーザー識別情報と、追加情報と、発表画像関連情報で特定される発表部分中で参照情報に含まれる位置情報で特定される領域の画像と、を含む。それにより、ユーザーＡは、１以上のグループを追加情報で識別することができる。なお、グループ識別情報２４２は、１以上のグループのグループ期間を含んでもよい。この場合、ユーザーＡは、１以上のグループをグループ期間で識別することができる。
【０１３３】
ユーザーＡは、操作部２０６を操作することによりグループリスト表示領域２４１に表示される複数のグループ識別情報２４２のうち１つを選択することができる。図１６は、グループリストから１つのグループ識別情報２４２が選択された場合の表示例を示す図である。ユーザーＡが１つのグループ識別情報２４２を選択すると、発表画像表示領域２３１の下方に音声テキスト表示領域２５１および再生操作表示領域２６１が設けられる。このとき、選択されたグループ識別情報２４２に対応するグループ期間が再生期間に決定される。
【０１３４】
図１６を参照して、グループリスト表示領域２４１においては、ユーザーＡにより選択されたグループ識別情報２４２のうち配列された参照画像２４３を除く部分が、選択されていない他のグループ識別情報２４２とは異なる態様で表示される。図１６では、第１グループのグループ識別情報２４２のうち配列された参照画像２４３を除く部分がハッチングで示される。これにより、ユーザーＡは、自己が選択したグループ識別情報２４２を容易に識別することができる。
【０１３５】
発表画像表示領域２３１には、選択された第１グループのグループ期間中に対応する発表画像４０１が表示される。また、その発表画像４０１上には、選択された第１グループのグループ期間中のマウスポインタの軌跡を示す軌跡画像４０２が表示される。また、その発表画像４０１上には、選択された第１グループに属する１以上（本例では２つ）の参照情報に含まれる１以上の追加情報として、描画画像ｐ１および画像ｐ２が表示される。音声テキスト表示領域２５１には、選択された第１グループのグループ期間中の音声を文字認識したテキストデータの文字列が表示される。さらに、再生操作表示領域２６１には、会議情報の再生の開始、再生の停止、逆再生の開始、および逆再生の停止を指示するための操作ボタンと、会議情報の再生時刻を示す時刻スライダが表示される。
【０１３６】
この状態で、ユーザーＡは、再生操作表示領域２６１に表示される操作ボタンを操作することにより、例えば選択された第１グループのグループ期間中のマウスポインタの動きを示す動画を発表画像表示領域２３１に表示される発表画像４０１上に重畳表示させることができる。また、選択された第１グループのグループ期間中の音声を音声出力部２０８から再生させることができる。
【０１３７】
なお、本例では、音声テキスト表示領域２５１には、選択された第１グループのグループ期間中の音声を文字認識したテキストデータの文字列が表示されるが、本発明はこれに限定されない。音声テキスト表示領域２５１には、第１グループのグループ期間を含みかつそのグループ期間の前後の期間を含む期間中の音声を文字認識したテキストデータの文字列が表示されてもよい。この場合、第１グループのグループ期間中のテキストデータの文字列は、そのグループ期間の前後の期間中のテキストデータの文字列とは異なる表示態様で強調表示される。それにより、ユーザーＡは、第１グループのグループ期間における発表者の音声を容易に識別することができる。
【０１３８】
ユーザーＡは、さらに操作部２０６を操作することにより選択された第１グループのグループ識別情報２４２に配列されたユーザーＡの参照画像２４３およびユーザーＢの参照画像２４３のうち１つを選択することにより、第１グループに属する複数の参照情報のうちの１つを選択することができる。このとき、選択された参照情報に含まれる入力期間が再生期間に決定される。
【０１３９】
図１７は、ユーザーＡの参照画像２４３が選択された場合の表示例である。図１７を参照して、ユーザーＡがユーザーＡの参照画像２４３を選択すると、選択されたユーザーＡの参照画像２４３が、選択されていないユーザーＢの参照画像２４３とは異なる態様で表示される。図１７では、ユーザーＡの参照画像２４３がハッチングで示される。これにより、ユーザーＡは、自己が選択した参照画像２４３を容易に識別することができる。
【０１４０】
発表画像表示領域２３１には、選択されたユーザーＡの参照情報に含まれる入力期間中に対応する発表画像４０１が表示される。また、その発表画像４０１上には、選択されたユーザーＡの参照情報に含まれる入力期間中のマウスポインタの軌跡を示す軌跡画像４０２が表示される。また、その発表画像４０１上には、選択されたユーザーＡの参照情報に含まれる追加情報である描画画像ｐ１と、選択されていないが同じ第１グループに属するユーザーＢの画像ｐ２とが表示される。ここで、選択された参照情報の描画画像ｐ１は、選択されていない参照情報の画像ｐ２に比べて異なる態様で表示される。本例では、描画画像ｐ１が画像ｐ２に比べて強調表示されている。
【０１４１】
音声テキスト表示領域２５１には、先に選択された第１グループのグループ期間中の音声を文字認識したテキストデータの文字列が表示される。ここで、選択されたユーザーＡの参照情報に含まれる入力期間中のテキストデータの文字列は、ユーザーＡの参照情報に含まれる入力期間以外の期間中のテキストデータの文字列とは異なる表示態様で強調表示される。それにより、ユーザーＡは、自己が選択した参照情報に含まれる入力期間における発表者の音声を容易に認識することができる。図１７では、強調表示される文字列の部分が白抜きの文字および文字囲いで示される。
【０１４２】
図１８は、ユーザーＢの参照画像２４３が選択された場合の表示例である。図１８を参照して、ユーザーＡがユーザーＢの参照画像２４３を選択すると、選択されたユーザーＢの参照画像２４３が、選択されていないユーザーＡの参照画像２４３とは異なる態様で表示される。図１８では、ユーザーＢの参照画像２４３がハッチングで示される。
【０１４３】
発表画像表示領域２３１には、選択されたユーザーＢの参照情報に含まれる入力期間中に対応する発表画像４０１が表示される。また、その発表画像上には、選択されたユーザーＢの参照情報に含まれる入力期間中のマウスポインタの軌跡を示す軌跡画像４０２が表示される。また、その発表画像４０１上には、選択されたユーザーＢの参照情報に含まれる追加情報である画像ｐ２と、選択されていないが同じ第１グループに属するユーザーＡの描画画像ｐ１とが表示される。ここで、選択された参照情報の画像ｐ２は、選択されていない参照情報の描画画像ｐ１に比べて異なる態様で表示される。本例では、画像ｐ２が描画画像ｐ１に比べて強調表示されている。
【０１４４】
音声テキスト表示領域２５１には、先に選択された第１グループのグループ期間中の音声を文字認識したテキストデータの文字列が表示される。ここで、選択されたユーザーＢの参照情報に含まれる入力期間中のテキストデータの文字列は、ユーザーＢの参照情報に含まれる入力期間以外の期間中のテキストデータの文字列とは異なる表示態様で強調表示される。それにより、ユーザーＡは、自己が選択した参照情報に含まれる入力期間における発表者の音声を容易に認識することができる。図１８では、強調表示される文字列の部分が白抜きの文字および文字囲いで示される。
【０１４５】
上記のように、選択された参照情報に含まれる入力期間が再生期間に決定される。１つのグループに属する複数の参照情報が連続して選択された場合に、すでに再生された期間を除く期間が再生期間に決定される。図１９は、ユーザーＡが１つの参照情報を選択した後で他の参照情報を選択した場合の再生期間の決定例を説明するための図である。
【０１４６】
図１９を参照して、１段目にユーザーＡの参照情報に含まれる入力期間が時間軸上に白抜きの線で示される。２段目にユーザーＢの参照情報に含まれる入力期間が時間軸上に白抜きの線で示される。図１９に示すように、ユーザーＡの参照情報に含まれる入力期間の一部は、ユーザーＢの参照情報に含まれる入力期間の一部と重複する。
【０１４７】
ユーザーＡの参照情報が選択されることによりその参照情報に含まれる入力期間が再生期間として決定された後、連続してユーザーＢの参照情報が選択されることによりその参照情報に含まれる入力期間が再生期間として決定されると、ユーザーＡの参照情報の入力期間とユーザーＢの参照情報の入力期間との重複期間の会議情報を繰り返し出力することになる。この場合、会議情報の出力が冗長になる。そこで、図１９の３段目に白抜きの矢印で示すように、ユーザーＡの参照情報の入力期間を再生期間に決定した後、ユーザーＢの参照情報が選択されると、図１９の４段目に白抜きの矢印で示すように、ユーザーＢの参照情報の入力期間のうち重複期間を除く期間が再生期間に決定される。それにより、会議情報の出力が冗長にならない。
【０１４８】
図２０は、図１９の例に従って再生期間が決定された場合の表示例である。図２０の例では、ユーザーＢの参照情報が選択されているにもかかわらず、ユーザーＡおよびユーザーＢの参照情報に含まれる入力期間の重複期間に対応する会議情報が出力されていない。そのため、図２０に示されるマウスポインタの軌跡画像４０２は、図１８に示されるマウスポインタの軌跡画像４０２よりも短い。また、図２０のテキストデータの文字列のうち強調表示されている部分は、図１８の例よりも少ない。
【０１４９】
なお、参照情報に関する例と同様に、グループ期間の少なくとも一部が重複する２つのグループが連続して選択された場合に、最初に選択されたグループのグループ期間を再生期間として決定した後、次に選択されたグループのグループ期間のうち最初に決定された再生期間に重複する期間を除く期間が再生期間に決定されるようにしてもよい。
【０１５０】
ユーザーＡは、グループ識別情報２４２または参照画像２４３を選択する際に、伸長設定ボタン２９１を操作することにより、選択されたグループまたは参照情報に基づいて決定される再生期間の伸長を指示することができる。携帯情報装置２００Ａは、ユーザーＡによる再生期間の伸長指示を受け付けると、再生開始時刻をより前の時刻に変更するとともに再生終了時刻をより後の時刻に変更する。また、ユーザーＡは、戻るボタン２９２を操作することにより、表示部２０５の表示状態を初期状態に戻すことができる。
【０１５１】
発表画像表示領域２３１に表示されるマウスポインタの軌跡画像４０２の表示の変形例を説明する。図２１は、マウスポインタの軌跡画像４０２の位置表示例を示す図である。
【０１５２】
図２１を参照して、軌跡画像４０２の表示態様は、会議中の時間の経過とともに変化してもよい。図２１の例では、複数の表示態様が複数種類のハッチングおよびドットパターンで示される。それにより、ユーザーＡは再生期間における発表者のマウスポインタの移動方向、移動速度等の操作状態を認識することができる。
【０１５３】
図２２は、会議情報取得処理の流れの一例を示すフローチャートである。会議情報取得処理は、各携帯情報装置２００Ａ〜２００Ｅが備えるＣＰＵ２０１が、ＲＯＭ２０２、ＲＡＭ２０３、フラッシュメモリ２０４またはＣＤ−ＲＯＭ２１０Ａに記憶された会議情報取得プログラムを実行することにより、ＣＰＵ２０１によって実行される処理である。会議情報取得プログラムは、会議再現プログラムの一部である。以下に説明する各種処理の初期状態において、携帯情報装置２００Ａには予めサーバー３００から発表データがダウンロードされているものとする。また、携帯情報装置２００Ａのフラッシュメモリ２０４には、予めユーザーＡのユーザー識別情報が記憶されているものとする。
【０１５４】
図２２を参照して、ステップＳ０１においては、装置モードを参加モードに設定し、処理をステップＳ０２に進める。ステップＳ０２においては、発表モードが選択されたか否かを判断する。発表モードが選択されると処理をステップＳ０３に進めるが、そうでなければ処理をステップＳ１１に進める。
【０１５５】
ステップＳ０３においては、自己が発表者となるべき旨を要求するための発表者要求信号をサーバー３００へ送信し、処理をステップＳ０４に進める。ステップＳ０４においては、サーバー３００から発表者となるべき旨の要求に対する許可信号を受信したか否かを判断する。サーバー３００から許可信号を受信すると処理をステップＳ０５に進めるが、そうでなければ処理をステップＳ０２に戻す。
【０１５６】
ステップＳ０５においては、装置モードを発表モードに設定する。ステップＳ０６においては、会議情報が生成されたか否かを判断する。具体的には、後述する発表画像関連処理、ポインタ関連処理および音声関連処理のうち少なくとも１つの処理により発表画像関連情報、ポインタ関連情報および音声関連情報のいずれかが生成されたか否かを判断する。会議情報が生成されると処理をステップＳ０７に進めるが、そうでなければ処理をステップＳ０８に進める。
【０１５７】
ステップＳ０７においては、生成された会議情報を会議に参加している全てのユーザーＢ〜Ｅの携帯情報装置２００Ｂ〜２００Ｅに送信し、処理をステップＳ０８に進める。ステップＳ０８においては、参加モードが選択されたか否かを判断する。参加モードが選択されると処理をステップＳ０９に進めるが、そうでなければ処理をステップＳ０６に進める。ステップＳ０９においては、装置モードを参加モードに設定し、処理をステップＳ０２に進める。
【０１５８】
ステップＳ１１においては、他の携帯情報装置２００Ｂ〜２００Ｅのいずれかから会議情報を受信したか否かを判断する。会議情報を受信すると処理をステップＳ１２に進めるが、そうでなければ処理をステップＳ０２に戻す。ステップＳ１２においては、受信された会議情報をＲＡＭ２０３またはフラッシュメモリ２０４に記憶し、処理をステップＳ０２に戻す。
【０１５９】
図２３は、発表画像関連処理の流れの一例を示すフローチャートである。発表画像関連処理は、各携帯情報装置２００Ａ〜２００Ｅが備えるＣＰＵ２０１が、ＲＯＭ２０２、ＲＡＭ２０３、フラッシュメモリ２０４またはＣＤ−ＲＯＭ２１０Ａに記憶された発表画像関連プログラムを実行することにより、ＣＰＵ２０１により実行される処理である。発表画像関連プログラムは、会議再現プログラムの一部である。ここでは、携帯情報装置２００Ａが備えるＣＰＵ２０１が発表画像関連プログラムを実行する場合を例に説明する。
【０１６０】
図２３を参照して、ステップＳ２１においては、装置モードが発表モードに設定されているか否かを判断する。装置モードが発表モードに設定されていると判断するまで待機状態となり（ステップＳ２１でＮＯ）、装置モードが発表モードに設定されていると判断するならば（ステップＳ２１でＹＥＳ）、処理をステップＳ２２に進める。ステップＳ２２においては、発表データ中に発表部分を設定し、設定された発表部分の画像を発表画像として表示部２０５に表示し、処理をステップＳ２３に進める。具体的には、発表者であるユーザーＡが操作部２０６を操作することにより指定された発表ページおよび領域で特定される領域を発表部分に設定する。さらに、発表データ中に設定された発表部分の画像を発表画像として表示部２０５に表示する。
【０１６１】
ステップＳ２３においては、発表画像関連情報を生成し、生成された発表画像関連情報をＲＡＭ２０３またはフラッシュメモリ２０４に記憶し、処理をステップＳ２４に進める。ステップＳ２２において設定された発表部分で特定される発表ページのページ識別情報をページデータの項目に設定し、発表部分で特定される領域の発表ページ中の位置を示す領域識別情報を部分データの項目に設定し、現時刻を時刻情報の項目に設定することにより発表画像関連情報を生成する。ステップＳ２４においては、ステップＳ２２で設定された発表部分を全てのユーザーＢ〜Ｅの携帯情報装置２００Ｂ〜２００Ｅに送信し、処理をステップＳ２５に進める。
【０１６２】
ステップＳ２５においては、発表部分が変更されたか否かを判断する。具体的には、ステップＳ２２で設定された発表部分とは異なる領域がユーザーＡにより新たに指定されたか否かを判断する。発表部分が変更されたと判断するならば処理をステップＳ２２に戻すが、そうでなければ処理をステップＳ２１に戻す。
【０１６３】
図２４は、ポインタ関連処理の流れの一例を示すフローチャートである。ポインタ関連処理は、各携帯情報装置２００Ａ〜２００Ｅが備えるＣＰＵ２０１が、ＲＯＭ２０２、ＲＡＭ２０３、フラッシュメモリ２０４またはＣＤ−ＲＯＭ２１０Ａに記憶されたポインタ関連プログラムを実行することにより、ＣＰＵ２０１により実行される処理である。ポインタ関連プログラムは、会議再現プログラムの一部である。ここでは、携帯情報装置２００Ａが備えるＣＰＵ２０１がポインタ関連プログラムを実行する場合を例に説明する。
【０１６４】
図２４を参照して、ステップＳ３１においては、装置モードが発表モードに設定されているか否かを判断する。装置モードが発表モードに設定されていると判断するまで待機状態となり（ステップＳ３１でＮＯ）、装置モードが発表モードに設定されていると判断するならば（ステップＳ３１でＹＥＳ）、処理をステップＳ３２に進める。ステップＳ３２においては、発表者であるユーザーＡが操作部２０６を操作することによるマウスポインタの位置を検出し、処理をステップＳ３３に進める。
【０１６５】
ステップＳ３３においては、ポインタ関連情報を生成し、生成されたポインタ関連情報をＲＡＭ２０３またはフラッシュメモリ２０４に記憶し、処理をステップＳ３４に進める。ステップＳ３２において検出されたマウスポインタ位置を示す位置データを位置情報の項目に設定し、現時刻を時刻情報の項目に設定したポインタ関連情報を生成する。ステップＳ３４においては、発表者であるユーザーＡが操作部２０６を操作することによるマウスポインタの位置を検出し、処理をステップＳ３５に進める。
【０１６６】
ステップＳ３５においては、マウスポインタの位置が変更されたか否かを判断する。具体的には、ステップＳ３４で検出されたマウスポインタの位置がステップＳ３２で検出されたマウスポインタの位置とは異なるか否かを判断する。マウスポインタの位置が変更されたと判断するならば処理をステップＳ３２に戻すが、そうでなければ処理をステップＳ３１に戻す。
【０１６７】
図２５は、音声関連処理の流れの一例を示すフローチャートである。音声関連処理は、各携帯情報装置２００Ａ〜２００Ｅが備えるＣＰＵ２０１が、ＲＯＭ２０２、ＲＡＭ２０３、フラッシュメモリ２０４またはＣＤ−ＲＯＭ２１０Ａに記憶された音声関連プログラムを実行することにより、ＣＰＵ２０１により実行される処理である。音声関連プログラムは、会議再現プログラムの一部である。ここでは、携帯情報装置２００Ａが備えるＣＰＵ２０１が音声関連プログラムを実行する場合を例に説明する。
【０１６８】
図２５を参照して、ステップＳ４１においては、装置モードが発表モードに設定されているか否かを判断する。装置モードが発表モードに設定されていると判断するまで待機状態となり（ステップＳ４１でＮＯ）、装置モードが発表モードに設定されていると判断すると（ステップＳ４１でＹＥＳ）、処理をステップＳ４２に進める。ステップＳ４２においては、現時刻をユーザーＡの発表開始時刻に設定し、処理をステップＳ４３に進める。
【０１６９】
ステップＳ４３においては、音声入力部２０７から入力される音声データをＲＡＭ２０３またはフラッシュメモリ２０４に記憶し、処理をステップＳ４４に進める。ステップＳ４４においては、装置モードが発表モードから参加モードに変更されたか否かを判断する。装置モードが参加モードに変更されると処理をステップＳ４５に進めるが、そうでなければ処理をステップＳ４３に戻す。ステップＳ４５においては、現時刻をユーザーＡの発表終了時刻に設定し、処理をステップＳ４６に進める。
【０１７０】
ステップＳ４６においては、音声関連情報を生成し、生成された音声関連情報をＲＡＭ２０３またはフラッシュメモリ２０４に記憶し、処理をステップＳ４１に戻す。ステップＳ４３で記憶された音声データを音声データの項目に設定し、ステップＳ４２で発表開始時刻に設定された時刻を発表開始時刻の項目に設定し、ステップＳ４５において発表終了時刻に設定された時刻を発表終了時刻に設定した音声関連情報を生成する。
【０１７１】
図２６は、参照情報取得処理の流れの一例を示すフローチャートである。参照情報取得処理は、各携帯情報装置２００Ａ〜２００Ｅが備えるＣＰＵ２０１が、ＲＯＭ２０２、ＲＡＭ２０３、フラッシュメモリ２０４またはＣＤ−ＲＯＭ２１０Ａに記憶された参照情報取得プログラムを実行することにより、ＣＰＵ２０１により実行される処理である。参照情報取得プログラムは、会議再現プログラムの一部である。ここでは、携帯情報装置２００Ａが備えるＣＰＵ２０１が参照情報取得プログラムを実行する場合を例に説明する。
【０１７２】
図２６を参照して、ステップＳ５１においては、携帯情報装置２００を操作するユーザーを識別するためのユーザー識別情報を取得し、処理をステップＳ５２に進める。ここでは、フラッシュメモリ２０４に携帯情報装置２００Ａを操作するユーザーのユーザー識別情報が記憶されているので、フラッシュメモリ２０４に記憶されたユーザー識別情報を読み出す。なお、携帯情報装置２０４を操作するユーザーが操作部２０６に入力するユーザー識別情報を取得するようにしてもよい。次のステップＳ５２においては、ユーザーＡが操作部２０６を操作することにより発表画像上への追加情報の入力が開始されたか否かを判断する。追加情報の入力が開始されると処理をステップＳ５３に進めるが、そうでなければ処理をステップＳ５９に進める。
【０１７３】
ステップＳ５３においては、現時刻を入力開始時刻に設定し、処理をステップＳ５４に進める。ステップＳ５４においては、ユーザーＡによる発表画像上への追加情報の入力が終了されたか否かを判断する。ユーザーＡによる発表画像上への追加情報の入力が終了されたと判断されるまで待機状態となり（ステップＳ５４でＮＯ）、ユーザーＡによる発表画像上への追加情報の入力が終了されたと判断すると（ステップＳ５４でＹＥＳ）、処理をステップＳ５５に進める。
【０１７４】
ステップＳ５５においては、現時刻を入力終了時刻に設定し、処理をステップＳ５６に進める。ステップＳ５６においては、発表画像中で追加情報が入力された領域の位置を位置情報に決定し、処理をステップＳ５７に進める。ステップＳ５７においては、ユーザーＡの参照情報を生成するとともに、生成された参照情報をＲＡＭ２０３またはフラッシュメモリ２０４に記憶し、処理をステップＳ５８に進める。具体的には、ステップＳ５１で取得されたユーザー識別情報をユーザーＩＤの項目に設定し、ステップＳ５３において入力開始時刻に設定された時刻を入力期間の項目の開始時刻の項目に設定し、ステップＳ５５において入力終了時刻に設定された時刻を入力期間の項目の終了時刻の項目に設定し、ステップＳ５２で入力が開始され、ステップＳ５４で入力が終了された追加情報を、追加情報の項目に設定し、ステップＳ５６において決定された位置情報を位置情報の項目に設定した参照情報を生成する。ステップＳ５８においては、生成されている参照情報を会議に参加している全てのユーザーＢ〜Ｅの携帯情報装置２００Ｂ〜２００Ｅに送信し、処理をステップＳ５９に進める。
【０１７５】
ステップＳ５９においては、他の携帯情報装置２００Ｂ〜２００Ｅのいずれかから参照情報を受信したか否かを判断する。無線ＬＡＮＩ／Ｆ２０９が、他の携帯情報装置２００Ｂ〜２００Ｅのいずれかから参照情報を受信すると処理をステップＳ６０に進めるが、そうでなければ処理をステップＳ５２に戻す。ステップＳ６０においては、受信された参照情報をＲＡＭ２０３またはフラッシュメモリ２０４に記憶し、処理をステップＳ５２に戻す。
【０１７６】
図２７は、グループ化処理の流れの一例を示すフローチャートである。グループ化処理は、各携帯情報装置２００Ａ〜２００Ｅが備えるＣＰＵ２０１が、ＲＯＭ２０２、ＲＡＭ２０３、フラッシュメモリ２０４またはＣＤ−ＲＯＭ２１０Ａに記憶されたグループ化プログラムを実行することにより、ＣＰＵ２０１により実行される処理である。グループ化プログラムは、会議再現プログラムの一部である。ここでは、携帯情報装置２００Ａが備えるＣＰＵ２０１がグループ化プログラムを実行する場合を例に説明する。
【０１７７】
図２７を参照して、ステップＳ６１においては、図２６に示した参照情報取得処理によりＲＡＭ２０３またはフラッシュメモリ２０４に記憶された１以上の参照情報を読み出し、処理をステップＳ６２に進める。ステップＳ６２においては、読み出された１以上の参照情報から処理対象となる１つの参照情報を選択し、処理をステップＳ６３に進める。
【０１７８】
ステップＳ６３においては、ステップＳ６１において読みだされた１以上の参照情報のうちから入力開始時刻が、処理対象の参照情報の入力開始時刻から所定期間以内にある参照情報を抽出し、処理をステップＳ６４に進める。ステップＳ６４においては、ステップＳ６３において抽出された参照情報のうちから位置情報により示される位置が、処理対象の参照情報の位置情報により示される位置から所定範囲内にある参照情報を抽出し、処理をステップＳ６５に進める。
【０１７９】
ステップＳ６５においては、処理対象の参照情報とステップＳ６４で抽出された１以上の参照情報とを、同一のグループに分類し、ＲＡＭ２０３またはフラッシュメモリ２０４に記憶する。次のステップＳ６６においては、グループ期間を決定し、決定されたグループ期間をＲＡＭ２０３またはフラッシュメモリ２０４に記憶し、処理をステップＳ６７に進める。ステップＳ６５において記憶された同一のグループに属する１以上の参照情報を処理対象とし、１以上の参照情報にそれぞれ含まれる１以上の入力開始時刻のうち最も前の時刻から１以上の参照情報にそれぞれ含まれる１以上の入力終了時刻のうち最も後の時刻までの期間をグループ期間として決定する。
【０１８０】
ステップＳ６７においては、ステップＳ６１で読み出された１以上の参照情報について、ステップＳ６２において未だ選択されていない参照情報が存在するか否かを判断する。未選択の参照情報が存在するならば処理をステップＳ６２に戻すが、そうでなければ処理を終了する。
【０１８１】
図２８は、再現処理の流れの一例を示すフローチャートである。再現処理は、各携帯情報装置２００Ａ〜２００Ｅが備えるＣＰＵ２０１が、ＲＯＭ２０２、ＲＡＭ２０３、フラッシュメモリ２０４またはＣＤ−ＲＯＭ２１０Ａに記憶された再現プログラムを実行することにより、ＣＰＵ２０１により実行される処理である。再現プログラムは、会議再現プログラムの一部である。ここでは、携帯情報装置２００Ａが備えるＣＰＵ２０１が再現プログラムを実行する場合を例に説明する。
【０１８２】
図２８を参照して、ステップＳ７１においては、グループリストを表示部２０５に表示し、処理をステップＳ７２に進める。具体的には、図２７に示したグループ化処理により１以上のグループごとに、当該グループに分類された１以上の参照情報がＲＡＭ２０３またはフラッシュメモリ２０４に記憶されている。ＣＰＵ２０１は、ＲＡＭ２０３またはフラッシュメモリ２０４に記憶された１以上のグループをそれぞれ識別するための１以上のグループ識別情報を配列したグループリストを表示部２０５に表示する。グループ識別情報は、そのグループに属する１以上の参照情報にそれぞれ対応する１以上の参照画像を配列した画像である。参照画像は、参照情報に含まれるユーザー識別情報と、追加情報と、発表画像関連情報で特定される発表部分中で参照情報に含まれる位置情報で特定される領域の画像と、を含む。具体的には、ＣＰＵ２０１は、発表データ中で参照情報の位置情報の項目に設定された位置情報で特定される領域を含む部分の画像に、参照情報に含まれる追加情報の画像を合成した画像に、参照情報に含まれるユーザー識別情報の画像を付加した参照画像を生成する。ＣＰＵ２０１は、グループに属する１以上の参照情報にそれぞれ対応する１以上の参照画像を配列した画像をグループ識別情報として生成する。
【０１８３】
ステップＳ７２においては、１以上のグループのうちいずれか１つが選択されたか否かを判断する。具体的には、グループリストで示される１以上のグループ識別情報のいずれか１つがユーザーＡにより選択された場合に、選択されたグループ識別情報に対応するグループが選択されたと判断する。また、１以上のグループ識別情報のいずれも選択されない場合に、グループが選択されていないと判断する。グループが選択されると処理をステップＳ７３に進めるが、そうでなければ処理を終了する。
【０１８４】
ステップＳ７３においては、選択されたグループに対応して図２７に示したグループ化処理により決定されたグループ期間を再生期間に決定し、処理をステップＳ７４に進める。ステップＳ７４においては、静的出力制御処理を行い、処理をステップＳ７５に進める。静的出力制御処理の詳細は後述する。
【０１８５】
ステップＳ７５においては、再生動作の指示を受け付けたか否かを判断する。具体的には、ユーザーＡが再生操作表示領域２６１に表示される操作ボタンが指示されたことをタッチパネル２０７Ｂが検出すると、再生動作の指示を受け付ける。再生動作の指示を受け付けたならば処理をステップＳ７６に進めるが、そうでなければ処理をステップＳ７７に進める。ステップＳ７６においては、動的出力制御処理を行い、処理をステップＳ７７に進める。動的出力制御処理の詳細は後述する。
【０１８６】
ステップＳ７７においては、ステップＳ７２において選択されたグループに属する１以上の参照情報のうちいずれか１つが選択されたか否かを判断する。具体的には、ステップＳ７２で選択されたグループのグループ識別情報中に配列される１以上の参照画像のいずれか１つがユーザーＡにより選択された場合に、選択された参照画像に対応する参照情報が選択されたと判断する。ステップＳ７４の静的出力制御処理では、表示部２０５に、ステップＳ７３で決定された再生期間中に対応する発表画像が表示されるとともにその再生期間中に対応する１以上の追加情報が発表画像上に表示される。ステップＳ７７においては、発表画像上に表示された追加情報が選択される場合に、その追加情報を含む参照情報が選択されたと判断する。また、１以上の参照画像のいずれも選択されない場合に、参照情報が選択されていないと判断する。参照情報が選択されると処理をステップＳ７８に進めるが、そうでなければ処理をステップＳ７２に戻す。参照情報は追加情報を含むので、参照情報の選択は、追加情報の選択と同じである。
【０１８７】
ステップＳ７８においては、発表画像上に表示される複数の追加情報のうち、ステップＳ７７で選択された参照情報に含まれる追加情報を、ステップＳ７７において選択されていない他の参照情報の追加情報よりも強調して表示し、処理をステップＳ７９に進める。例えば、ステップＳ７７で選択された参照情報に含まれる追加情報の明度を他の参照情報の明度よりも高い明度にする。また、ステップＳ７７で選択された参照情報に含まれる追加情報の色を、他の参照情報の色と異なる色にする。
【０１８８】
ステップＳ７９においては、ステップＳ７７で選択される参照情報の入力期間が後述するステップＳ８２でＲＡＭ２０３またはフラッシュメモリ２０４に記憶される再生期間と重なるか否かを判定する。入力期間が記憶された再生期間と重ならないと判断する場合、処理をステップＳ８０に進めるが、そうでなければ処理をステップＳ８１に進める。なお、ステップＳ７９においてＲＡＭ２０３またはフラッシュメモリ２０４に再生期間が記憶されていない場合には、入力期間が記憶された再生期間と重ならないと判断する。
【０１８９】
ステップＳ８０においては、ステップＳ７７で選択される参照情報の入力期間を再生期間に決定し、処理をステップＳ８２に進める。一方、ステップＳ８１においては、ステップＳ７７で選択される参照情報の入力期間から記憶されている再生期間と重なる期間を除いた期間を再生期間に決定し、処理をステップＳ８２に進める。ステップＳ８２においては、ステップＳ８０またはステップＳ８１のいずれかで決定された再生期間をＲＡＭ２０３またはフラッシュメモリ２０４に記憶し、処理をステップＳ８３に進める。
【０１９０】
ステップＳ７４の静的出力制御処理では、表示部２０５に、ステップＳ７３で決定された再生期間中に対応する音声の文字列、換言すれば、ステップＳ７２で選択されたグループのグループ期間中の音声の文字列が表示される。この場合、表示部２０５に表示される音声の文字列には、ステップＳ７７で選択された参照情報の入力期間中の音声の文字列が含まれる。
【０１９１】
ステップＳ８３においては、表示部２０５に表示される音声の文字列のうち、ステップＳ７７で選択された参照情報の入力期間中の音声の文字列を、選択された参照情報の入力期間以外の期間中の音声の文字列よりも強調して表示し、処理をステップＳ８４に進める。例えば、ステップＳ７７で選択された参照情報の入力期間中の音声の文字列を矩形の線で囲む。なお、ステップＳ８３においては、ステップＳ７７で選択された参照情報の入力期間中の音声の文字列を、選択された参照情報の入力期間以外の期間中の音声の文字列と表示態様を異ならせるようにしてもよい。
【０１９２】
ステップＳ８４においては、再生期間を伸長すべき旨の指示を受け付けたか否かを判断する。具体的には、ユーザーＡが表示部２０５に表示される伸長設定ボタン２９１を操作することにより、再生期間の伸長を指示を受け付ける。再生期間の伸長の指示を受け付けたならば処理をステップＳ８５に進めるが、そうでなければ処理をステップＳ９１に進める。
【０１９３】
ステップＳ８５においては、ステップＳ８２で記憶された再生期間を伸長し、伸長された再生期間を再設定し、処理をステップＳ８６に進める。具体的には、ステップＳ８２で記憶された再生期間の再生開始時刻をより前の時刻に変更するとともに再生終了時刻をより後の時刻に変更する。ステップＳ８６においては、ステップＳ７２と同様に、１以上のグループのうちいずれか１つが選択されたか否かを判断する。グループが選択されたならば処理をステップＳ７３に戻すが、そうでなければ処理をステップＳ８４に戻す。
【０１９４】
ステップＳ９１においては、ステップＳ７５と同様に、再生動作の指示を受け付けたか否かを判断する。再生動作の指示を受け付けたならば処理をステップＳ９２に進めるが、そうでなければ処理をステップＳ９３に進める。ステップＳ９２においては、動的出力制御処理を行い、処理をステップＳ８６に進める。動的出力制御処理の詳細は後述する。
【０１９５】
ステップＳ９３においては、ステップＳ７２において選択されたグループに属する１以上の参照情報のうちいずれか１つが新たに選択されたか否かを判断する。参照情報が選択されたならば処理をステップＳ７８に戻すが、そうでなければ処理をステップＳ８６に進める。
【０１９６】
図２９は、静的出力制御処理の流れの一例を示すフローチャートである。静的出力制御処理は、図２８に示した再現処理のステップＳ７４において実行される処理である。静的出力制御処理が実行される前の段階で、ユーザーＡにより選択されたグループのグループ期間が再生期間として決定されている。
【０１９７】
図２９を参照して、ステップＳ１０１においては、再生期間中に対応する発表画像関連情報を読み出し、処理をステップＳ１０２に進める。ＲＡＭ２０３またはフラッシュメモリ２０４に記憶された１以上の発表画像関連情報のうちから時刻情報の項目に設定された時刻が再生期間に含まれる発表画像関連情報を読み出す。ステップＳ１０２においては、読み出された発表画像関連情報に基づいて再生期間中の発表画像を表示部２０５に表示し、処理をステップＳ１０３に進める。具体的には、発表画像関連情報のページデータの項目に設定されたページ識別情報および部分データの項目に設定された位置情報に従って、発表データ中の発表部分を特定し、発表部分の画像を発表画像として、表示部２０５に表示する。
【０１９８】
ステップＳ１０３においては、再生期間中に対応する１以上の参照情報を読み出し、処理をステップＳ１０４に進める。ＲＡＭ２０３またはフラッシュメモリ２０４に記憶された１以上の参照情報のうちから入力期間の項目の開始時刻の項目に設定された入力開始時刻および終了時刻の項目に設定された入力終了時刻のいずれもが再生期間に含まれるすべての参照情報を読み出す。ステップＳ１０４においては、読み出された１以上の参照情報に含まれる追加情報の画像を発表画像上に重畳表示し、処理をステップＳ１０５に進める。
【０１９９】
ステップＳ１０５においては、再生期間中に対応するポインタ関連情報を読み出し、処理をステップＳ１０６に進める。ＲＡＭ２０３またはフラッシュメモリ２０４に記憶された１以上のポインタ関連情報のうちから時刻情報の項目に設定された時刻が再生期間に含まれるすべてのポインタ関連情報を読み出す。ステップＳ１０６においては、読み出された１以上のポインタ関連情報に基づいて再生期間中のマウスポインタの軌跡を示す軌跡画像を発表画像上に重畳表示し、処理をステップＳ１０７に進める。
【０２００】
ステップＳ１０７においては、再生期間中に対応する音声関連情報を読み出し、処理をステップＳ１０８に進める。ＲＡＭ２０３またはフラッシュメモリ２０４に記憶された１以上の音声関連情報のうちから発表開始時刻の項目に設定された発表開始時刻および発表終了時刻の項目に設定された発表終了時刻のいずれもが再生期間に含まれるすべての音声関連情報を読み出す。ステップＳ１０８においては、音声認識することにより読み出された音声関連情報の音声データをテキストデータに変換し、処理をステップＳ１０９に進める。ステップＳ１０９においては、変換された再生期間中のテキストデータの文字列を表示部２０５に表示し、処理を再現処理に戻す。これにより、再生期間中の発表者の音声を示す文字列が表示部２０５に表示される。
【０２０１】
図３０は、動的出力制御処理の流れの一例を示すフローチャートである。動的出力制御処理は、図２８に示した再現処理のステップＳ７６またはステップＳ９２において実行される処理である。動的出力制御処理が実行される前の段階で、再生期間が決定されており、表示部２０５には発表画像とともにマウスポインタの軌跡画像が表示されている。
【０２０２】
図３０を参照して、ステップＳ１１１においては、発表画像上に表示されているマウスポインタの軌跡画像を消去し、処理をステップＳ１１２に進める。ステップＳ１１２においては、再生期間中に対応するポインタ関連情報を読み出し、処理をステップＳ１１３に進める。ＲＡＭ２０３またはフラッシュメモリ２０４に記憶された１以上のポインタ関連情報のうちから時刻情報の項目に設定された時刻が再生期間に含まれるすべてのポインタ関連情報を読み出す。ステップＳ１１３においては、読み出されたポインタ関連情報に基づいて再生期間中のマウスポインタの動きを示す動画を発表画像上で再生し、処理をステップＳ１１４に進める。
【０２０３】
ステップＳ１１４においては、再生期間中に対応する音声関連情報を読み出し、処理をステップＳ１１５に進める。ＲＡＭ２０３またはフラッシュメモリ２０４に記憶された１以上の音声関連情報のうちから発表開始時刻の項目に設定された発表開始時刻および発表終了時刻の項目に設定された発表終了時刻のいずれもが再生期間に含まれるすべての音声関連情報を読み出す。ステップＳ１１５においては、読み出された音声関連情報に基づいて音声を再生し、処理を再現処理に戻す。読み出された音声関連情報の音声データの項目に設定された音声データを再生する。これにより、再生期間中の発表者の音声が再生される。
【０２０４】
以上説明したように、本実施の形態における携帯情報装置２００Ａは、会議再現装置として機能し、自装置および他の携帯情報装置２００Ｂ〜２００Ｅのいずれかにより生成された参照情報を取得し、時間の経過に伴って変化する会議の状態に関する情報を会議情報として取得し、取得された複数の参照情報それぞれを入力期間に基づいて１以上のグループに分類する。そして、１以上のグループそれぞれに対して、グループに属する１以上の参照情報それぞれの入力期間に基づいてグループ期間を決定する。そして、１以上のグループのいずれか１つが選択されることに応じて、選択されたグループに対して決定されたグループ期間を再生期間に決定し、会議情報のうち再生期間に対応する部分を出力する。このため、会議情報のうち１以上のグループにそれぞれ対応する部分を出力するので、会議情報を部分的に出力することができる。また、複数の参照情報それぞれが参照情報に含まれる追加情報が入力された入力期間に基づいて、複数の参照情報が１以上のグループのいずれかに分類されるので、会議情報のうち１以上のグループにそれぞれ対応する部分を、そのグループに分類された１以上の参照情報と関連付けることができる。このため、時間の経過に伴って変化する会議の状態を、ユーザーＡ〜Ｅのいずれかにより追加情報が入力された入力期間に基づいて決定されるグループ期間に対応する部分に限定して再現することができる。その結果、時間の経過に伴って変化する会議の状態をランダムに再現することができる。
【０２０５】
上記の実施の形態においては、携帯情報装置２００ＡのＣＰＵ２０１は、ユーザーＡが発表者である間、すなわち発表開始時刻から発表終了時刻までの期間中会議情報を生成するが、本発明はこれに限定されない。ＣＰＵ２０１は、ユーザーＡが発表者でありかつ他のユーザーＢ〜Ｅの携帯情報装置２００Ｂ〜２００Ｅから参照情報を取得するときのみ会議情報を生成してもよい。それにより、各携帯情報装置２００Ａ〜２００Ｅで記憶される会議情報のデータ量を低減することができる。
【０２０６】
なお、上述した実施の形態においては、会議再現装置の一例として携帯情報装置２００Ａ〜２００Ｅを例に説明したが、図２２〜図３０に示した処理を、携帯情報装置２００Ａ〜２００Ｅそれぞれに実行させる会議再現方法、また、その会議再現方法を携帯情報装置２００Ａ〜２００Ｅそれぞれが備えるＣＰＵ２０１に実行させる会議再現プログラムとして発明を捉えることができるのは言うまでもない。
【０２０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
＜付記＞
（１）  前記再生期間変更手段は、前記再生期間決定手段により決定された再生期間をその開始時刻よりも前の時刻からその終了時刻よりも後の時刻までの期間を含むように変更する、請求項４に記載の会議再現装置。この局面に従えば、会議情報の再生期間を伸長することができるので、会議再現装置の利便性が向上する。
（２）  前記発表データは、複数ページを含み、
前記発表部分は、前記複数ページのうち発表者により指定された１以上のページの画像である、請求項１２に記載の会議再現装置。この局面に従えば、会議情報の出力時に、発表部分として発表データの各ページの画像を確認することができる。
（３）  前記発表部分は、前記発表者により指定された１以上のページの画像のうち前記発表者により指定された部分の画像である、請求項１６に記載の会議再現装置。この局面に従えば、会議情報の出力時に、発表部分として発表データの各ページの一部の画像を確認することができる。
（４）  前記会議情報出力手段は、前記再生期間決定手段により決定された再生期間とは異なる期間に対応する音声の文字列を表示する場合に、前記再生期間に対応する音声の文字列の表示態様を他の文字列の表示態様と異ならせる、請求項２０に記載の会議再現装置。この局面に従えば、再生期間に対応する音声の文字列をユーザーに識別させることができる。
（５）  前記会議情報出力手段は、前記１以上のグループのいずれか１つが選択されることに応じて前記再生期間決定手段により決定された再生期間に対応する会議情報の部分を１回のみ再生する、請求項１〜２０のいずれかに記載の会議再現装置。この局面に従えば、会議情報の無駄な出力を低減することができる。
（６）  前記会議情報出力手段は、前記１以上のグループのいずれか１つが選択されることに応じて前記再生期間決定手段により決定された再生期間に対応する会議情報の部分を繰り返し再生する、請求項１〜２０のいずれかに記載の会議再現装置。この局面に従えば、一度グループが選択されることにより、そのグループ期間の会議情報が出力された後、会議情報を再出力するための操作が不要となる。
（７）  会議情報の再生の開始、再生の停止を指定する再生動作指定手段をさらに備え、前記会議情報出力手段は、前記再生動作指定手段による指定に応じて前記会議情報を再生または停止する、請求項１９に記載の会議再現装置。この局面に従えば、会議情報の再生動作の態様を容易に調整することができる。
（８）前記会議情報取得手段は、発表開始時刻から前記会議情報を生成し、記憶する、請求項１に記載の会議再現装置。
（９）前記会議情報取得手段は、前記参照情報取得手段により参照情報が取得されたときのみ前記会議情報を生成し、記憶する、請求項１に記載の会議再現装置。
【符号の説明】
【０２０８】
１  会議システム、２，２Ａ，２Ｂ  ネットワーク、３Ａ，３Ｂ  無線局、５  インターネット、１１０  会議情報取得部、１１１  装置モード切換部、１１２  音声取得部、１１４  発表部分設定部、１１５  ポインタ位置検出部、１２０  参照情報取得部、１３０  グループ化部、１３１  グループリスト表示部、１３２  グループ期間決定部、１３３  選択部、１３４  グループ選択部、１３５  参照情報選択部、１３６  再生期間決定部、１３７  再生期間変更部、１４０  参照情報リスト表示部、１４７  再生期間修正部、１５０  追加情報表示部、１６０  会議情報出力部、１６１  発表データ部分表示部、１６２  会議音声出力部、１６３  テキスト変換出力部、１６４  静的出力制御部、１６５  動的出力制御部、１７０  再生動作指示部、１９０  計時部、２００Ａ，２００Ｂ，２００Ｃ，２００Ｄ，２００Ｅ  携帯情報装置、２０１  ＣＰＵ、２０２  ＲＯＭ、２０３  ＲＡＭ、２０４  フラッシュメモリ、２０５  表示部、２０６  操作部、２０６Ａ  メインキー、２０６Ｂ  タッチパネル、２０６Ｃ  キーボード、２０６Ｄ  マウス、２０７  音声入力部、２０８  音声出力部、２０９  無線ＬＡＮＩ／Ｆ、２１０  外部記憶装置、２１０Ａ  ＣＤ−ＲＯＭ、２２１  参加ボタン、２２２  発表ボタン、２２３  一覧ボタン、２３１  発表画像表示領域、２４１  グループリスト表示領域、２４２  グループ識別情報、２４３  参照画像、２５１  音声テキスト表示領域、２６１  再生操作表示領域、２９１  伸長設定ボタン、２９２  戻るボタン、３００  サーバー、４０１  発表画像、４０２  軌跡画像、ｐ１，ｐ３，ｐ４，ｐ５  描画画像、ｐ２  画像。
【図１】
0006583016.tif 000002
【図２】
0006583016.tif 000003
【図３】
0006583016.tif 000004
【図４】
0006583016.tif 000005
【図５】
0006583016.tif 000006
【図６】
0006583016.tif 000007
【図７】
0006583016.tif 000008
【図８】
0006583016.tif 000009
【図９】
0006583016.tif 000010
【図１０】
0006583016.tif 000011
【図１１】
0006583016.tif 000012
【図１２】
0006583016.tif 000013
【図１３】
0006583016.tif 000014
【図１４】
0006583016.tif 000015
【図１５】
0006583016.tif 000016
【図１６】
0006583016.tif 000017
【図１７】
0006583016.tif 000018
【図１８】
0006583016.tif 000019
【図１９】
0006583016.tif 000020
【図２０】
0006583016.tif 000021
【図２１】
0006583016.tif 000022
【図２２】
0006583016.tif 000023
【図２３】
0006583016.tif 000024
【図２４】
0006583016.tif 000025
【図２５】
0006583016.tif 000026
【図２６】
0006583016.tif 000027
【図２７】
0006583016.tif 000028
【図２８】
0006583016.tif 000029
【図２９】
0006583016.tif 000030
【図３０】
0006583016.tif 000031